(57)【要約】【課題】ストレスの問題や、広告のデザイン性等の問題を解消でき、広告がネットユーザ側に完全に伝わっているかどうかの確認を確実に行う。【解決手段】広告サービス会社ホスト１０により、契約のあるサイトオーナーサーバ２０へ壁紙広告５０を含む広告データを送信し、サイトオーナーサーバ２０により、Ｗｅｂサイトのトップページ又は各コンテンツページに広告データを取り込み、アクセスのあったいずれかのネットユーザ端末３０に対して壁紙広告５０を送信するとともに、壁紙広告５０の表示状態を監視するイオプログラムをプラグイン方式で提供し、イオプログラムにより、壁紙広告５０が正常に表示されたか否かを確認し、正常に表示された場合には送信者ＩＤ、ファイルＩＤ、受信者ＩＤからなる広告アクセスログを作成し、広告サービス会社ホスト１０に広告アクセスログのみを送信するようにする。【選択図】    図１
2004310384.tif 000002
【特許請求の範囲】
【請求項１】
広告データを提供する広告サービス会社ホストと、Ｗｅｂサイトを提供するサイトオーナーサーバ及び／又は契約プロバイダと、前記Ｗｅｂサイトを閲覧する携帯端末を含むネットユーザ端末とを備え、これらはインターネットを介して相互に通信できる構成とされたＷｅｂページ広告システムであって、
前記広告サービス会社ホストは、広告掲載の契約が結ばれている前記サイトオーナーサーバ及び／又は契約プロバイダへ壁紙広告を含む広告データを送信する機能と、広告サービスを希望するいずれかの前記ネットユーザ端末に対して前記Ｗｅｂサイトのトップページ又は各コンテンツページの壁紙広告の表示状態を監視する受信者ＩＤが個別に付与されたイオプログラムをプラグイン方式で提供する機能と、前記サイトオーナーサーバ及び／又は契約プロバイダが提供する壁紙広告を閲覧したいずれかの前記ネットユーザ端末からの広告アクセスログを受け取る機能とを有し、
前記サイトオーナーサーバ及び／又は契約プロバイダは、前記Ｗｅｂサイトのトップページ又は各コンテンツページに前記広告データを、前記広告サービス会社ホストとは分散して取り込み、前記広告サービス会社ホストの代わりに保守、管理する機能と、アクセスのあったいずれかの前記ネットユーザ端末に対し、前記イオプログラムが予めプリインストールされていない場合のみ、前記Ｗｅｂサイトのトップページ又は各コンテンツページの壁紙広告の表示状態を監視するプリインストール版の受信者ＩＤが付与されたイオプログラムをプラグイン方式で提供する機能とを有し、
前記ネットユーザ端末は、前記Ｗｅｂサイトの閲覧機能と、前記イオプログラムをプラグイン方式でインストールする機能と、予めプリインストールされた形式の前記イオプログラムにより、前記Ｗｅｂサイトのトップページ又は各コンテンツページの壁紙広告が正常に表示されたか否かを確認し、正常に表示された場合には前記広告アクセスログを作成する機能と、前記広告サービス会社ホストに前記広告アクセスログのみを送信する機能とを有している
ことを特徴とするＷｅｂページ広告システム。
【請求項２】
前記広告サービス会社ホストは、前記壁紙広告を識別するためのファイルＩＤと、前記サイトオーナーサーバ及び／又は契約プロバイダのオーナーを識別するための送信者ＩＤとをログ管理データベースに登録した後、前記壁紙広告を含む広告データのヘッダ領域に画像形式や前記ファイルＩＤ又は送信者ＩＤを記録し、前記壁紙広告を含む広告データのフッタ領域には前記送信者ＩＤ又はファイルＩＤを記録し、前記広告データを送信する機能を有し、
前記サイトオーナーサーバ及び／又は契約プロバイダは、前記壁紙広告を前記Ｗｅｂページのトップページ又は各コンテンツページに取り込み、自らが提供する前記Ｗｅｂサイトとともにファイル管理データベースにファイルとして取り込み、登録、保守、管理し、その登録されている前記ファイルをアクセスのあった前記ネットユーザ端末に送信する機能を有し、
前記ネットユーザ端末は、前記Ｗｅｂサイトのトップページ又は各コンテンツページが表示されるとき、予めプリインストールされた形式の前記イオプログラムにより、前記壁紙広告のフッタ領域に記録されている前記送信者ＩＤ又はファイルＩＤの確認によって正常に表示されたと認識されると、前記ファイルＩＤ及び送信者ＩＤとネットユーザを識別するために前記イオプログラムに個別に付与されている前記受信者ＩＤとからなる前記広告アクセスログが作成され、前記広告サービス会社ホストに前記広告アクセスログのみを送信する機能を有する
ことを特徴とする請求項１に記載のＷｅｂページ広告システム。
【請求項３】
前記広告サービス会社ホストは、前記広告アクセスログ内のファイルＩＤや送信者ＩＤと、ログ管理データベースに既に登録されている前記ファイルＩＤや送信者ＩＤとが一致していなければ、前記広告アクセスログを破棄扱いにし、さらに前記ログ管理データベースにサービスに加入した全てのネットユーザの郵便番号、住所、氏名、年齢、職業、性別、電話番号、メールアドレス、趣味嗜好等の属性と、前記サイトオーナーサーバ及び／又は契約プロバイダの全てのオーナーの郵便番号、住所、氏名、年齢、職業、性別、電話番号、メールアドレス、趣味嗜好等の属性、所有サイトの種別とを蓄積し、それぞれのネットユーザを識別するための前記受信者ＩＤやそれぞれのオーナーを識別するための前記送信者ＩＤを基に、前記広告アクセスログ内の前記受信者ＩＤや送信者ＩＤと照合し、一致した場合には前記情報を個人プライバシーを侵害しないレベルで営業活動に利用できるように抽出、分析、加工する機能とを有することを特徴とする請求項１又は２に記載のＷｅｂページ広告システム。
【請求項４】
前記壁紙広告は、ｊｐｇ，ｇｉｆ，ｐｎｇ，ｂｍｐ，ｐｉｃｔ，ｔｉｆｆ等の標準的ブラウザで使用可能な全ての静止画像形式及び／又はフラッシュ，ｍｐｅｇ，ａｖｉ，ｍｏｖ等の標準的ブラウザで使用可能な全ての動画や音声形式によって構成され、また、前記広告サービス会社ホストにより広告データの提供を受ける時点で、これらの形式とｐｓｄ，ｐｘａ等のレイヤー状のファイル形式を有し、自由に編集可能な状態で構成されたもの全てにファイルＩＤ及び送信者ＩＤが付されている構造を有し、さらにカスタマイズ機能と画像編集処理機能とを備えることを特徴とする請求項１〜３のいずれかに記載のＷｅｂページ広告システム。
【請求項５】
前記壁紙広告は、前記広告サービス会社ホストが個人又は法人サイトオーナーの前記情報に対して付与された前記送信者ＩＤが同じく付与され、無償提供された広告管理編集アップロードソフトウェア及び／又は同一機能を有する市販ソフトウェアにより、前記Ｗｅｂサイトのトップページ又は各コンテンツページに取り込まれるものであり、前記壁紙広告を前記ネットユーザが閲覧し、前記イオプログラムにより前記アクセスログの送信を受ける場合、前記広告サービス会社ホストが前記サイトオーナーに対して対価を伴う場合には送信者ＩＤ及び／又はファイルＩＤが付され、対価を伴わない場合には前記送信者ＩＤ及び／又はファイルＩＤが広告サービス会社ホストにて付されず、前記広告管理編集アップロードソフトウェア及び／又は同一機能を有する市販ソフトウェアに前記送信者ＩＤがシリアルナンバーとして打ち込まれた場合、同一送信者ＩＤを持つ前記壁紙広告は同一送信者ＩＤを持つ前記広告管理編集アップロードソフトウェア及び／又は同一機能を有する市販ソフトウェアいずれかただひとつでしか、管理編集アップロードできないことを特徴とする請求項１〜４のいずれかに記載のＷｅｂページ広告システム。
【請求項６】
前記イオプログラムは、前記サイトオーナーサーバ及び／又は契約プロバイダとは独立してプリインストールされた形状、又はＯＳ、ブラウザ、ネットワークＯＳの一機能として前記ネットユーザ端末内に存在し、前記壁紙広告のフッタ領域に記録されている前記送信者ＩＤ又はファイルＩＤの確認と、これら送信者ＩＤ及びファイルＩＤの抽出と、ネットユーザを識別するための前記イオプログラムに個別に付与されている受信者ＩＤの確認とを行うとともに、抽出した送信者ＩＤ及びファイルＩＤと確認した受信者ＩＤとから、これら送信者ＩＤ、ファイルＩＤ及び受信者ＩＤを含む前記広告アクセスログの作成を行い、前記壁紙広告のフッタ領域に記録されている前記送信者ＩＤの確認を以て１ページビューとし、それを正常な広告表示完了とみなす広告表示エラーチェック機能を有していることを特徴とする請求項１〜５のいずれかに記載のＷｅｂページ広告システム。
【請求項７】
前記広告データには、壁紙広告ロゴアイコン、ゲットインフォアイコンが含まれているとともに、これら壁紙広告ロゴアイコン、ゲットインフォアイコンは前記送信者ＩＤ及び／又はファイルＩＤが付され、前記壁紙広告掲載ページ内の任意の位置に配置され、これらアイコンは共にクリックスルー機能を有し、広告主企業サイトの被広告物の掲載ページ及び／又は任意ウェブページを別ウィンドウを開いて表示する機能がもたされていることを特徴とする請求項１〜５のいずれかに記載のＷｅｂページ広告システム。
【請求項８】
前記イオプログラムは、前記サイトオーナーサーバ及び／又は契約プロバイダとは独立してプリインストールされた形状、又はＯＳ、ブラウザ、ネットワークＯＳの一機能として前記ネットユーザ端末内に存在し、前記壁紙広告ロゴアイコン、ゲットインフォアイコンのクリックスルーを確認すると、前記壁紙広告ロゴアイコン、ゲットインフォアイコンのフッタ領域に記録されている前記送信者ＩＤ又はファイルＩＤの確認と、これら送信者ＩＤ及びファイルＩＤの抽出と、ネットユーザを識別するための受信者ＩＤの確認とを行うとともに、抽出した送信者ＩＤ及びファイルＩＤと確認した受信者ＩＤとから、これら送信者ＩＤ、ファイルＩＤ及び受信者ＩＤを含む前記広告アクセスログの作成を行い、前記広告サービス会社ホストに前記広告アクセスログのみを送信する機能を有していることを特徴とする請求項７に記載のＷｅｂページ広告システム。
【請求項９】
前記イオプログラムは、前記ネットユーザ端末によって画面に表示された壁紙広告がコピーされるとき、前記送信者ＩＤ及び／又はファイルＩＤが確認された場合もコピーを許可されるが、前記送信者ＩＤ付きの前記壁紙広告は同一送信者ＩＤを持つ前記広告管理編集アップロードソフトウェア及び／又は同一機能を有する市販ソフトウェアいずれかただひとつでしか、編集アップロードできない機能を実装していることを特徴とする請求項１〜８のいずれかに記載のＷｅｂページ広告システム。
【請求項１０】
広告データを提供する広告サービス会社ホストと、Ｗｅｂサイトを提供するサイトオーナーサーバ及び／又は契約プロバイダと、前記Ｗｅｂサイトを閲覧する携帯端末を含むネットユーザ端末とを備え、これらはインターネットを介して相互に通信できる構成とされたＷｅｂページ広告方法であって、
前記広告サービス会社ホストは、
広告掲載の契約が結ばれている前記サイトオーナーサーバ及び／又は契約プロバイダへ壁紙広告を含む広告データを送信する工程と、
広告サービスを希望するいずれかの前記ネットユーザ端末に対して前記Ｗｅｂサイトのトップページ又は各コンテンツページの壁紙広告の表示状態を監視する受信者ＩＤが個別に付与されたイオプログラムをプラグイン方式で提供する工程と、
前記サイトオーナーサーバ及び／又は契約プロバイダが提供する壁紙広告を閲覧したいずれかの前記ネットユーザ端末からの広告アクセスログを受け取る工程とを有し、
前記サイトオーナーサーバ及び／又は契約プロバイダは、
前記Ｗｅｂサイトのトップページ又は各コンテンツページに前記広告データを、前記広告サービス会社ホストとは分散して取り込み、前記広告サービス会社ホストの代わりに保守、管理する工程と、
アクセスのあったいずれかの前記ネットユーザ端末に対し、前記イオプログラムが予めプリインストールされていない場合のみ、前記Ｗｅｂサイトのトップページ又は各コンテンツページの壁紙広告の表示状態を監視するプリインストール版の受信者ＩＤが付与されたイオプログラムをプラグイン方式で提供する工程とを有し、
前記ネットユーザ端末は、
前記Ｗｅｂサイトの閲覧工程と、
前記イオプログラムをプラグイン方式でインストールする工程と、
予めプリインストールされた形式の前記イオプログラムにより、前記Ｗｅｂサイトのトップページ又は各コンテンツページの壁紙広告が正常に表示されたか否かを確認し、正常に表示された場合には前記広告アクセスログを作成する工程と、
前記広告サービス会社ホストに前記広告アクセスログのみを送信する工程とを有している
ことを特徴とするＷｅｂページ広告方法。
【請求項１１】
前記広告サービス会社ホストは、前記壁紙広告を識別するためのファイルＩＤと、前記サイトオーナーサーバ及び／又は契約プロバイダのオーナーを識別するための送信者ＩＤとをログ管理データベースに登録した後、前記壁紙広告を含む広告データのヘッダ領域に画像形式や前記ファイルＩＤ又は送信者ＩＤを記録し、前記壁紙広告を含む広告データのフッタ領域には前記送信者ＩＤ又はファイルＩＤを記録し、前記広告データを送信する工程を有し、
前記サイトオーナーサーバ及び／又は契約プロバイダは、前記壁紙広告を前記Ｗｅｂページのトップページ又は各コンテンツページに取り込み、自らが提供する前記Ｗｅｂサイトとともにファイル管理データベースにファイルとして取り込み、登録、保守、管理し、その登録されている前記ファイルをアクセスのあった前記ネットユーザ端末に送信する工程を有し、
前記ネットユーザ端末は、前記Ｗｅｂサイトのトップページ又は各コンテンツページが表示されるとき、予めプリインストールされた形式の前記イオプログラムにより、前記壁紙広告のフッタ領域に記録されている前記送信者ＩＤ又はファイルＩＤの確認によって正常に表示されたと認識されると、前記ファイルＩＤ及び送信者ＩＤとネットユーザを識別するために前記イオプログラムに個別に付与されている前記受信者ＩＤとからなる前記広告アクセスログが作成され、前記広告サービス会社ホストに前記広告アクセスログのみを送信する工程を有する
ことを特徴とする請求項１０に記載のＷｅｂページ広告方法。
【請求項１２】
前記広告サービス会社ホストは、前記広告アクセスログ内のファイルＩＤや送信者ＩＤと、ログ管理データベースに既に登録されている前記ファイルＩＤや送信者ＩＤとが一致していなければ、前記広告アクセスログを破棄扱いにし、さらに前記ログ管理データベースにサービスに加入した全てのネットユーザの郵便番号、住所、氏名、年齢、職業、性別、電話番号、メールアドレス、趣味嗜好等の属性と、前記サイトオーナーサーバ及び／又は契約プロバイダの全てのオーナーの郵便番号、住所、氏名、年齢、職業、性別、電話番号、メールアドレス、趣味嗜好等の属性、所有サイトの種別とを蓄積し、それぞれのネットユーザを識別するための前記受信者ＩＤやそれぞれのオーナーを識別するための前記送信者ＩＤを基に、前記広告アクセスログ内の前記受信者ＩＤや送信者ＩＤと照合し、一致した場合には前記情報を個人プライバシーを侵害しないレベルで営業活動に利用できるように抽出、分析、加工する工程とを有することを特徴とする請求項１０又は１１に記載のＷｅｂページ広告方法。
【請求項１３】
前記壁紙広告は、ｊｐｇ，ｇｉｆ，ｐｎｇ，ｂｍｐ，ｐｉｃｔ，ｔｉｆｆ等の標準的ブラウザで使用可能な全ての静止画像形式及び／又はフラッシュ，ｍｐｅｇ，ａｖｉ，ｍｏｖ等の標準的ブラウザで使用可能な全ての動画や音声形式によって構成され、また、前記広告サービス会社ホストにより広告データの提供を受ける時点で、これらの形式とｐｓｄ，ｐｘａ等のレイヤー状のファイル形式を有し、自由に編集可能な状態で構成されたもの全てにファイルＩＤ及び送信者ＩＤが付されている構造を有し、さらにカスタマイズ機能と画像編集処理機能とを備えることを特徴とする請求項１０〜１２のいずれかに記載のＷｅｂページ広告方法。
【請求項１４】
前記壁紙広告は、前記広告サービス会社ホストが個人又は法人サイトオーナーの前記情報に対して付与された前記送信者ＩＤが同じく付与され、無償提供された広告管理編集アップロードソフトウェア及び／又は同一機能を有する市販ソフトウェアにより、前記Ｗｅｂサイトのトップページ又は各コンテンツページに取り込まれるものであり、前記壁紙広告を前記ネットユーザが閲覧し、前記イオプログラムにより前記アクセスログの送信を受ける場合、前記広告サービス会社ホストが前記サイトオーナーに対して対価を伴う場合には送信者ＩＤ及び／又はファイルＩＤが付され、対価を伴わない場合には前記送信者ＩＤ及び／又はファイルＩＤが広告サービス会社ホストにて付されず、前記広告管理編集アップロードソフトウェア及び／又は同一機能を有する市販ソフトウェアに前記送信者ＩＤがシリアルナンバーとして打ち込まれた場合、同一送信者ＩＤを持つ前記壁紙広告は同一送信者ＩＤを持つ前記広告管理編集アップロードソフトウェア及び／又は同一機能を有する市販ソフトウェアいずれかただひとつでしか、管理編集アップロードできないことを特徴とする請求項１０〜１３のいずれかに記載のＷｅｂページ広告方法。
【請求項１５】
前記イオプログラムは、前記サイトオーナーサーバ及び／又は契約プロバイダとは独立してプリインストールされた形状、又はＯＳ、ブラウザ、ネットワークＯＳの一機能として前記ネットユーザ端末内に存在し、前記壁紙広告のフッタ領域に記録されている前記送信者ＩＤ又はファイルＩＤの確認と、これら送信者ＩＤ及びファイルＩＤの抽出と、ネットユーザを識別するための前記イオプログラムに個別に付与されている受信者ＩＤの確認とを行うとともに、抽出した送信者ＩＤ及びファイルＩＤと確認した受信者ＩＤとから、これら送信者ＩＤ、ファイルＩＤ及び受信者ＩＤを含む前記広告アクセスログの作成を行い、前記壁紙広告のフッタ領域に記録されている前記送信者ＩＤの確認を以て１ページビューとし、それを正常な広告表示完了とみなす広告表示エラーチェック機能を有していることを特徴とする請求項１０〜１４のいずれかに記載のＷｅｂページ広告方法。
【請求項１６】
前記広告データには、壁紙広告ロゴアイコン、ゲットインフォアイコンが含まれているとともに、これら壁紙広告ロゴアイコン、ゲットインフォアイコンは前記送信者ＩＤ及び／又はファイルＩＤが付され、前記壁紙広告掲載ページ内の任意の位置に配置され、これらアイコンは共にクリックスルー機能を有し、広告主企業サイトの被広告物の掲載ページ及び／又は任意ウェブページを別ウィンドウを開いて表示する機能がもたされていることを特徴とする請求項１０〜１４のいずれかに記載のＷｅｂページ広告方法。
【請求項１７】
前記イオプログラムは、前記サイトオーナーサーバ及び／又は契約プロバイダとは独立してプリインストールされた形状、又はＯＳ、ブラウザ、ネットワークＯＳの一機能として前記ネットユーザ端末内に存在し、前記壁紙広告ロゴアイコン、ゲットインフォアイコンのクリックスルーを確認すると、前記壁紙広告ロゴアイコン、ゲットインフォアイコンのフッタ領域に記録されている前記送信者ＩＤ又はファイルＩＤの確認と、これら送信者ＩＤ及びファイルＩＤの抽出と、ネットユーザを識別するための受信者ＩＤの確認とを行うとともに、抽出した送信者ＩＤ及びファイルＩＤと確認した受信者ＩＤとから、これら送信者ＩＤ、ファイルＩＤ及び受信者ＩＤを含む前記広告アクセスログの作成を行い、前記広告サービス会社ホストに前記広告アクセスログのみを送信する機能を有していることを特徴とする請求項１６に記載のＷｅｂページ広告方法。
【請求項１８】
前記イオプログラムは、前記ネットユーザ端末によって画面に表示された壁紙広告がコピーされるとき、前記送信者ＩＤ及び／又はファイルＩＤが確認された場合もコピーを許可されるが、前記送信者ＩＤ付きの前記壁紙広告は同一送信者ＩＤを持つ前記広告管理編集アップロードソフトウェア及び／又は同一機能を有する市販ソフトウェアいずれかただひとつでしか、編集アップロードできない機能を実装していることを特徴とする請求項１０〜１７のいずれかに記載のＷｅｂページ広告方法。
【請求項１９】
請求項１０〜１８のいずれかのＷｅｂページ広告方法を実行するための工程が記録されていることを特徴とする記録媒体。
【発明の詳細な説明】
【０００１】
【発明の属する技術分野】
本発明は、インターネット広告をＷｅｂサイトのトップページ又は各コンテンツページに壁紙として表示し、ネットユーザに提供するＷｅｂページ広告システムに関する。ここで、Ｗｅｂサイトは、一冊の本のように、ひとまとまりに公開されているＷｅｂページ群である。また、トップページは、Ｗｅｂサイトの入り口である。また、Ｗｅｂページは、コンテンツページでもある。
【０００２】
【従来の技術】
近年、インターネットの普及に伴い、バナー広告に代表されるインターネット広告が広く行われている。現在のインターネット広告は、たとえばＷｅｂサイトのトップページに配置される横長の小さな矩形状のスペースに文字、画像、音声、動画を盛り込んだバナー広告や、ＪＡＶＡ（登録商標）の機能によりバナーや小窓等が表示されるポップアップ広告等が主流となっている。
ところで、このようなバナー広告やポップアップ広告等にあっては、ネットユーザにとってＷｅｂサイトのトップページが表示されるまでに、時間がかかり、特に広告ファイルの表示だけが遅くなることによるストレスの問題がある。つまり、たとえば図７において、サイトオーナーと広告サービス会社との間で広告掲載の契約が結ばれている状態のとき、インターネット４を介していずれかのネットユーザ端末３からサイトオーナーサーバ２にアクセスがあったとする。このとき、サイトオーナーサーバ２からアクセスのあったネットユーザ端末３にＷｅｂサイトのトップページが送信される。この場合、そのトップページには、バナー広告やポップアップ広告等のタグが張り付けられているため、そのタグに基づきネットユーザ端末３から広告サービス会社ホスト１へのアクセスが行われる。そして、広告サービス会社ホスト１からネットユーザ端末３へ広告データが送信されることで、ネットユーザ端末３の画面にサイトオーナーサーバ２からＷｅｂサイトのトップページが広告サービス会社ホスト１からの広告データであるバナー広告やポップアップ広告等とともに表示される。
【０００３】
この場合、特に、広告サービス会社が複数のサイトオーナーと広告掲載の契約を結んでいて、複数のネットユーザが同時期に、複数のサイトオーナーのサーバにアクセスがあると、広告サービス会社ホスト１が複数のネットユーザ端末３に対して同時期に同一バナー広告やポップアップ広告等の広告データを送信しなければならない状況が発生し、さらに広告送信と同時に広告サービス会社ホスト１自身がアクセスログを同一時間軸で同時に作成する手順となっている。つまり、複数のネットユーザに対してそれぞれ２つの作業ステップを重複して同時に処理している手順となっている。しかもこれら処理をネットユーザが広告を閲覧する以前の作業ステップで実行している。これは、所謂、広告配信の一点集中型となるため、ランダムアクセスによる不定期の同時集中接続で、処理遅延、転送遅延、サーバダウン等が生じる結果となり、Ｗｅｂサイトのトップページ及び広告ファイルがアクセスのあったネットユーザ端末３の画面に表示されるまでに多くの時間を要してしまう。しかも、インターネット広告はネットユーザの意思とは無関係に割り込んでくるため、かなりのストレスを覚えてしまう。このようなことから、バナー広告に代表されるインターネット広告のデータは、３０ＫＢ前後のサイズに制限されている。このことは、広告効果を犠牲にしているといえる。
また、ネットユーザ端末３によって、サイトオーナーのＷｅｂサイトのトップページがダウンロードされると、サイトオーナーのＷｅｂページに設けられたアクセスカウンタがカウントアップし、所定の期間毎にそのアクセスカウンタの広告アクセスログが広告サービス会社ホスト１に送信され、サイトオーナーのＷｅｂページに対するアクセス数に応じた宣伝料が算出されて、その支払い通知がサイトオーナーに送信される旧式システムもある。
【０００４】
ちなみに、一般にネットユーザがＷｅｂサイトのトップページの受信完了に待てる時間の限度は８秒といわれている（顧客８秒ルール）。したがって、広告主、広告会社、広告掲載者等が広告を充実させようとすればするほど、ネットユーザの不満は募りやすくなる。一方、サイトオーナーは、インターネット広告の加熱にあおられて、多量のバナー広告を掲載してしまうと、上述したようなことから、ネットユーザからの読み込み中断によるアクセス減に伴い、広告収入が減ってしまう。この場合、サイトオーナーは、バナー広告数を増やすことになり、悪循環を繰り返してしまう。
また、上述したバナー広告やポップアップ広告等にあっては、デザイン性やアピール度に問題がある。つまり、バナー広告やポップアップ広告等は、１７インチないし１５インチのさらにブラウザ枠で囲まれた中の横長の小さな矩形状のスペースに掲載されるため、デザインを凝らすにも限度があるばかりか、ネットユーザに対して視覚によるアピールにも限度がある。この場合、広告主、広告会社、広告掲載者等は、そのわずかなスペースでのアピール性を補うために、ｇｉｆアニメを用いたり、フラッシュで画面を光らせ点滅させたりして工夫を凝らしているが、クリックスルーされるバナー広告はページビューに対し１％以下である。しかも、そのクリックスルーされるバナー広告は、５０％割引や懸賞が当たる等のデザインとは無関係のテキスト系情報が主であったりする。
【０００５】
また、上述したバナー広告やポップアップ広告等にあっては、ストリーミングＣＭが検討されている。これは、ブラウザの片隅に小窓を開いて、ＣＭをストリーミング放送するものである。ところが、低速回線が殆どを占める現状では、データのダウンロードに時間がかかりすぎるばかりか、音声と映像の不快な繰り返しによって、ページ内容の黙読への阻害が起き、それは情報収集というウェブブラウジングからかけ離れてしまうため、上記同様に、ネットユーザの不満は募りやすくなり、ネットユーザからの読み込み中断によるアクセス減少が起こるものと予測され、さらには広告サービス会社ホスト及びサイトオーナーの広告収入も費用対効果の割には減少するものと予測される。
また、一般のネットユーザが自分のサイトを作るとき、無料の素材サイトからいろいろなアイテムを手に入れて利用することが多い。その中には凝った作りのものもあるが、所詮フリー素材なので、デザイン性能に優れたものとはいえない。しかも、ネットユーザは、できれば好きなタレントやキャラクターを、さらには気に入った写真家の風景画等を、自分のＷｅｂサイトの各Ｗｅｂページのテーマに合わせて、たとえば壁紙等にして大きく張り付けたいという要求があっても、版権等の問題により素人ではほぼ不可能となっている。
【０００６】
以下、従来技術の問題点を詳しく纏めると、次のようになる。
１．（広告画像ファイル集中型遅延、サーバダウン問題）
従来のサーバ集中型広告システムでは、広告サービス会社ホスト１にログファイル、配信プログラム、広告画像データ等やあらゆるシステム、記憶装置が中央に集積されている構造となっている。したがってそれらがたった一つでもダウン、クラッシュすると、何百万という単位でのサービスの停止及び広告の不表示という大被害に陥っていた。それを防ぐため、広告画像は小さなサイズに制限され、その数や種類、全投下数に至るまで、物理的、システム的な制限を受ける形態を取っている。さらにそれを広告サービス会社ホスト１の一社の負担のみでシステムのバックアップや保守に多大な経費を払い続けている形態となっている。
【０００７】
２．（大型広告のオンライン広告営業における困難性）
従来システムでは、集中型ゆえに広告画像にバリエーションを持てない形態となっている。それは広告画像ファイルを一箇所に置いていたため、システムの物理的制限によって、種類も少なく大きさも３０ＫＢ前後のサイズまでしか置くことができない状態である。ここで従来システムに於いて大型広告営業ための簡単な試算を行ってみる。
大型広告の種類が１０００種類あるとする。一枚につき１０００人のサイトオーナーが広告契約を結んでいるとする。１広告画像１００ＫＢ程度としても、全部掛けて１億ＫＢ＝１００ギガバイト。大型広告一枚につき１日たった１００ＰＶ、つまり、たった１００人のネットユーザの閲覧しか無いとしても、１０テラバイト・パー・デイ。すなわち、ホストサーバから１日１０テラバイトもの大型広告を常に配信し続けなければならない。ネットユーザが１００人同時に接続してくるケースにも対応しておかねばならない。これだけの転送量に耐えうる集中型サーバは簡単には用意できない。毎秒おきに同一画像にアクセスを受け、このような大きい画像を同一サーバとディスクとから、瞬時に配信しなければならず、しかも広告画像を頻繁に入れ替え、更新、保守、管理しなくてはならない。従来のシステムでは、バナー止まりで大きく多種多様な画像は取り扱えない現状となっている。
【０００８】
３．（アクセスログ取得システム集中型遅延問題）
従来のシステムはアクセスログ取得システムが主に広告サービス会社ホスト１に配置される構造になっている。この形態におけるデータ転送処理で最も怖いのはランダムアクセスによる、リクエスト集中問題だといえる。例えば多種類広告を集中型サーバで構築するとなると、１０００種類掛けることの１０００オーナー掛けることの１００ネットユーザでアクセスログが１日あたり１兆種類作成される。その処理量は膨大となり得て、遅延発生の確率は計り知れず、回避コストも甚大となる。ネットサーバはランダムアクセスに対応するため、処理量の制限を設定している場合がある。そして多人数で同一ルートを使用すると、相互干渉、処理の順序待ちにより速度低下する。誰しも読み込み時、「あれ何故かバナーだけが表示がすごく遅い。」とストレスを感じた経験がある。従来のシステムでは、広告サービス会社ホスト１でログファイルを自ら作るため、ネットユーザの抽出、解析、識別処理を実行してから、自らアクセスログを作成、データベース登録後、やっと広告送信ステップに入っていた。さらに、サイトオーナーサーバがアクセス解析をしてログファイルを作り広告サービス会社ホスト１へ送信後、広告送信ステップに入る遅い旧式システムもある。このような従来のシステムは広告配信時、サーバには負荷を、ネットユーザにはストレスを与えやすい設計となっている。
【０００９】
４．（ネットユーザ識別の困難性）
従来のシステムでは、ユニークユーザ特定、つまりネットユーザの各々匿名化された社会的情報の特定検出に非常にコストがかかり、且つ完全には不可能となっている。すなわち、特定できるのは使用ＯＳ、使用ブラウザのバージョン、ＩＰアドレス、どのページからやってきたか等で、最初のネットユーザと次のネットユーザは恐らくは別々の個人であろう、と言う程度までだった。これでは広告をどんな人に向けて打つか、が決められず、広告効果を発揮できない。また、ある商品に興味を持つネットユーザにその広告を何人に、また何回見せるか、といった計画が立てづらい。これは広告業界で常識である、リーチ＆フリークエンシーを実行できる性能が存在していないことといえる。このような曖昧なデータを利用するに当たって、よく顔の見えない者とビジネスマッチさせねばならない、というジレンマに陥る欠点を持つシステムとなっている。
【００１０】
５．（広告表示前に多段ステップが実行されている問題）
従来システムでは、広告送信と同時に広告サービス会社ホスト１自身がアクセスログを同一時間軸で自ら作成する手順となっている。つまり、２つ以上の作業ステップを重複して広告サービス会社ホスト１で同時に処理している。広告サービス会社ホスト１へネットユーザから広告へのアクセスがあると、まず広告サービス会社ホスト１はネットユーザの抽出、解析、識別処理を実行する。次に広告画像とサイトオーナーとの照合を行う。次に確認された情報からログファイルを作成し、データベースに格納する。その処理が正常に完了したことを以て、広告送信となる。すなわち、広告表示以前に多段処理ステップが存在している。そしてそれはネットユーザにはストレスを、広告サービス会社ホスト１には集中負荷をかけていた。ホストサーバ集中型として、広告画像とログシステムをサービスホストに置く限り、対価のやり取りを担うログ取りは、必ず広告送信の前に処理完了を確認した後、行わなければならなかった。これは設計上、遅延しやすいシステムとなっている。
【００１１】
６．（単一ソフトウェアにおける一括配信、ログ処理の問題）
従来システムでは、広告サービス会社ホスト１での管理、配信、集計業務を主にＤＡＲＴといった様なたった一つのプログラムにて行っている。これにより配信業務の管理、制御系が広告サービス会社ホスト１にメインとして存在する集中型のサーバ構成となっている。そして同一プログラムで全ての広告画像を無休で制御し続けている。よって、広告の種類、サイズ、配信数に自ずと限度が存在してしまっている。故にネット広告の市場は拡大しづらいシステムになっている。しかも、このような単一の巨大プログラム一つで制御しているので、長大で複雑なプログラムの一部に一つでも不具合が生じると、システムダウンによる業務停止に陥りやすいシステムといえる。メンテナンスやバージョンアップ時も、危険がつきまとうシステムとなっている。
【００１２】
７．（広告不表示問題）
従来のシステムは、サーバ集中型ゆえにアクセスログ取得後、広告配信を行う手順となっている。これは、アクセスがあったのだから、広告はきちんと閲覧されたはずだ、という無根拠な思いこみに依存する、曖昧なシステムとして成立させられていた。これでは、ネットユーザにおける読み込み停止や読み込み途中でのページ移動、また集中処理による広告画像の壊れ等の場合に対応できていない。どのケースにも、広告が表示されていないにもかかわらず、広告料を支払わねばならなかった。このような壁紙の広告画像の壊れ、送信エラーを外部から監視できる機能が無いため、広告を提供する側の信頼性が低下してしまっていた。よって広告主、広告会社は無駄な経費を支払わされ、従来のシステム等のネット広告は表示チェック機能が無いので、クライアントから信頼されにくく進歩、普及が頭打ちになりやすい現状となっている。
【００１３】
８．（集中型サーバにおける高コストシステム）
従来のシステムは、オンライン広告営業を集中型サーバとして構築している。これはシステム、データ、プログラム、及びその保守、管理、バックアップ、ミラーリング等を全て一広告会社が担う形態となっている。さらにそれに伴う人件費、保険費用、保証責任まで全て広告サービス会社ホスト一箇所に集中する構図となっている。サービスを拡大するためには莫大な投資が必要になる。この物理的、システム的な要因により、従来システムは高コストであり、それにも関わらず、市場規模が拡大しづらい構造となっている。低コストシステムが存在していないので市場は新規事業者が参入しにくいばかりか、撤退が相次ぐ現状となっている。このような集中型のビジネスモデルでは資源、人、経費などの負担を一社に強いる、高コストの問題が起こりやすく、サービス拡大を阻む構造になっている。
【００１４】
９．（顧客ターゲティングの困難性）
従来のシステムでは、ユニークユーザ識別が技術的に完全にできない構造になっている。さらに何処の地域に住んでいる、何歳くらいの、どんな仕事をし、どんな趣味嗜好を持つ、男性なのか女性なのか、という様な広告主、広告会社にとって必需といえる情報を手に入れる技術が存在していない。故に買わせたい商品と、売りたい相手をマッチングさせる、事業レベルの顧客ターゲティングを実現することができなかった。また、広告主と広告会社がネットユーザの個人情報の営業的活用を図ることも困難で、さらに広告画像がどういった経路でどんな人々に届き、それぞれどんなリアクションを取ったかを追う、流通把握機能が無かった。このような従来のシステムでは、情報取得技術が無いので、顔の見えない相手とビジネスマッチさせねばならないジレンマが存在している構造となっている。
【００１５】
１０．（アクセス上乗せ問題）
従来のシステムでは、ユニークユーザ識別が完全にできないので、個人サイトオーナー等による、アクセスを不正な手段で上乗せし、報酬を不正に増額して入手する、という様な問題が起こりやすいことになっている。ネットユーザの同一性が確保できる技術が無いので、不正に使用端末やＯＳやブラウザ、プロキシーサーバの悪用によるＩＰアドレス等の変更によって次々と別人になりすまし易いシステムになっていた。そしてオーナー自身が何度も自サイトにアクセスし、不正にＰＶを増やし報酬を得る、といったことが起こりやすいシステムになっている。このような従来システムでは、金銭報酬の発生条件に関係する技術が著しく不十分なので、広告主、広告会社に損害を与えやすい構造になっている。
【００１６】
１１．（無料壁紙サービスの提供に関する問題）
ネット上の壁紙状況は現在、壁紙ドットコムや壁紙ネット、壁紙ファンを中心に多数、配布サイトが存在している。それらサイトは１日２万ＰＶを越え多くのネットユーザが訪れている。しかしそれらサイトはタレント等の版権壁紙を取り扱うも、難題を多く抱えている。それはまず膨大なネットからタレント壁紙を探すことが難しいという状況がある。各サイトはネットユーザから発見報告を募っているが、ネットユーザは普通見つけると用は済んでしまうので、報告してくれない場合があった。タレント事務所側も所詮無料サービスなので、タイアップでも無いと積極的に参入できない現状がある。故に有料版権壁紙を提供せざるを得ない現状がある。結果版権壁紙の絶対数がサイトを見ても少なすぎる状態である。したがって欲しい者はポスター等から作るか、その肖像権無断使用アップサイトに行って入手する、といった事態が起こっている。それはタレント事務所等を悩ませる結果となっている。またタレント壁紙の多くはそれら膨大な素人サイトの粗悪な作りのものの方が多いのが憂う現状となっている。そして、頼みの綱の公式に配布されたタレント広告付き壁紙等は数も種類もとても少ない。しかも広告付き壁紙は期間が限定されるので、殆どがリンク切れか、画像が壊れている状態になっている。現在のネット広告は本格的に広告会社が参入できる壁紙広告サービスが存在しておらず、広告主は自社による無料広告付き壁紙サービスに頼っているからである。未だ事業化されてないので費用対効果等検討もできない現状である。キャラクターや商品の広告付き壁紙もその総数に対して非常に少ない。その一方で素人サイトの有名タレント等の壁紙は無断コピーが相次ぎ、トラブルを起こすほど人気が過熱している。このような、膨大な需要があるのにシステムが未だ存在せず、サービス事業者もいないので、ネットユーザのニーズに現状が全く追いついていない状態にある。また、サイトオーナーに限定して版権壁紙を提供し、金銭報酬を発生させるオンライン壁紙広告配信サービスは現在営業されていない。そしてこのサービスと逆に版権をフリーにして、広くネットユーザ向けに版権壁紙を配布する、無料壁紙サービスは、技術的、性格的に相容れない困難性があり、両立、共存は難しい。このような版権者と広告主、広告会社、そしてネットユーザとの需要を繋ぐ技術が存在してないのでビジネスとして成立せず、版権壁紙が安定供給されていない現状となっている。
【００１７】
１２．（広告画像の低デザイン性の問題）
従来の広告システムは、広告サービス会社ホスト１から集中型で配信される構造になっているため、転送量による制限を受け、小さく種類も少ないものに限られる形態となっている。それ故にバナー広告やポップアップ広告等は、１７インチないし１５インチのさらにブラウザ枠で囲まれた中の横長の小さな矩形状のスペースに掲載されるため、デザインを凝らすことが困難である。表現力を獲得する技術が存在しないので、タレントが起用できない、プロスポーツ選手、キャラクター等版権が使用されない、したがって大手広告制作会社が参入しない等の欠陥が存在している。つまり従来のシステムは、訴求力が乏しく、ＴＶＣＭに代表されるような「イメージ広告」が打てない現状となっている。さらにバナー広告やポップアップ広告等は、表示されると必ず、モニタースペースの一部を覆い隠し、本文をシェアするという欠点が存在している。ページを間借りして割り込むネガティブな広告はイメージダウンを招きやすく、かといって、大きくすれば本文を隠し、ポップアップすれば、ユーザストレスとなる。このような従来のシステム上では、ビジュアルを豊かにできる十分な構造、技術を持たないので、タレント起用などが実行しにくい、という現状となっている。
【００１８】
１３．（低クリックスルー問題）
従来のシステムでは、広告サービス会社ホスト１から集中型で配信される構造になっているため、転送量による制限を受け、小さく種類も少ないものに限られる形態となっており、広告画像そのものが魅力的でない、という弱点を持っている。よって、ネットユーザに対しての視覚的アピールに乏しく、表示されても殆ど印象に残らない状態となっている。故にネットユーザのリアクションが薄く、どんなに成功したと言われる広告でも、そのクリック率は１％以下となっている。これは、ネット広告で最も重要なことの一つ、広告主サイトへのユーザトラフィック機能が十分に備わってないことを示している。広告そのものが魅力的で無いので、ＣＦのようにそこからブームが発生することもなく、チラシやポスターの様にコレクションに至ることも無い現状となっている。このような従来のシステムには、付加価値の高い広告を実装できうる技術が存在していないので、クリック率が低く、儲かりにくい構造を持つ現状となっている。
【００１９】
１４．（広告バーンアウト（広告効果逓減）問題）
従来のシステムでは、広告サービス会社ホスト１から集中型で配信される構造になっているため、転送量による制限を受け、小さく種類も少ないものに限られる形態となっており、広告画像そのものが魅力的でない、という弱点を持っている。よって、ネットユーザに対しての視覚的アピールに乏しく、表示されても殆ど印象に残らない状態となっている。故にネットユーザのリアクションが薄く、どんなに成功したと言われる広告でも、そのクリック率は１％以下となっている。それ故、従来のバナー広告などでは、２度同じ広告を見ると広告効果が半減するバーンアウト（広告効果逓減）現象が起こることとなっている。しかしながら、広告主、広告会社は、バーンアウトし、広告効果無し、となった広告にさえも広告料を支払わねばならないシステムとなっていた。さらに物理制限によって元々種類が少なくバーンアウトの頻度は異常に高いものとなっている。このような従来のシステムは、広告効果が無いにも関わらず、広告料を支払わねばならない、という大問題が日常的で、広告主、広告会社に損害を与えやすい構造になっている。
【００２０】
１５．（低デザインサイトの問題）
従来の個人サイトオーナーの運営する、個人サイトでは主にネット上などで入手した、フリー素材からなる壁紙を背景として利用するのが現状となっている。そこに版権壁紙を使用することは個人としては、ほぼ不可能な状態となっている。また従来のフリー素材壁紙は所詮無料であり、大手資本が参加してないので粗末なものが殆どとなっている。タレント等の壁紙をサイトに貼る行為は、全てのユーザが絶大なる需要を持っているにも関わらず、禁止されている。故に個人サイトのデザイン、コンテンツの向上はこの時点で止まってしまっている。このような版権者と広告主、広告会社、そしてネットユーザとの需要を繋ぐ技術が存在してないのでビジネスとして成立せず、個人サイトの発展、進歩が図れない現状となっている。
【００２１】
１６．（ネット広告とオンライン広告の違い）
従来、これらは同じものとして混同されているが、漸く差別化される様になってきている。厳密にはネット広告とは、ただ単にネットを利用しただけの広告物だと言える。その目的と効果は主に宣伝、認知のみである。例えるなら、看板、アドバルーン等である。ネット広告を定義すれば、広告主とサイトオーナー一対一の関係を、新型の広告物により仲介し提携を図って、認知を目的とする、となる。一方、オンライン広告は、広告会社が企画、主導して大資本で大規模ネットワーク広告システムを開発し、広告主、サイトオーナーに向け営業する、という特徴を持つ。その目的は主に販促、収益向上である。例えるならＴＶＣＭである。オンライン広告を定義すれば、広告会社と広告主企業、サイトオーナーとネットユーザ多数対多数の関係を大規模ネットワーク広告システムで同時に一括して結び付け、共に販促、収益向上を目指すメガビークル、となる。オンライン広告の見分け方の一つは、ネットユーザを広告主サイトへ、リアルタイムに多数送り込むトラフィック効果を持つことである。その機能が存在し成果を上げているか、が決め手の一つとなる。従来、オンライン広告といえるのは現行バナー広告システム・クリック保証型一種類しか存在していない。しかしそのシステムも、小さなバナーしか扱えず、長年に渡って効果を疑問視する声も多く聞かれている。そして画期的な発展も無いので、市場規模も頭打ちになり、撤退が相次ぐ現状となっている。
【００２２】
ちなみに、特許文献１では、宣伝仲介用サーバ装置に広告情報を含む壁紙の画像データ及び契約情報を保持しておき、広告情報の掲載を受諾する情報発信者（サイトオーナー）からの受諾通知を受け取ると、その通知を宣伝企業の端末装置に転送するとともに、情報発信者からの要求にしたがって壁紙の画像データを情報発信者の端末装置に転送し、情報発信者が作成した発信情報と壁紙とを組み合わせた画像データが登録保持されたＷｅｂサイトにネットユーザがインターネットを介してアクセスしたとき、発信情報及び壁紙の画像データをネットユーザの端末装置に転送するようにした宣伝システムを提案している。
【００２３】
【特許文献１】
特開２００１−３１２６４７
【００２４】
【発明が解決しようとする課題】
上述した特許文献１では、サイトオーナーが作成した発信情報と広告情報を含む壁紙とを組み合わせた画像データが登録保持されたＷｅｂサイトのＷｅｂページをネットユーザの端末装置に転送するようにしている。しかし、上述したネットユーザによるストレスの問題や、広告のデザイン性及びアピール度の問題は解消されていないと考えられる。
すなわち、特許文献１では、広告送信ステップ以前にサイトオーナーサーバが宣伝仲介用サーバにアクセスログを送信する手順が存在する。これは広告ファイル送信までに２ステップかかっている。そしてサイトオーナーサーバにログ取得システムを置いてあるので、その処理がシステム集中型となっており、遅延しやすい構造となっている。しかも、宣伝仲介用サーバ装置が所定の期間毎に、情報発信用サーバ装置から情報発信者のＷｅｂサイトに設けられたアクセスカウンタの値（アクセスカウント数）を取得し、宣伝企業に通知すると、宣伝企業が情報発信者のＷｅｂサイトに対するアクセス数に応じた宣伝料を算出し、その支払い通知を情報発信者に送信するようにしている。これは従来よりも旧式な方法で、単にネットを使っただけのネット広告レベルになっている。そしてアクセスログ取得に手間がかかるばかりか、アクセス上乗せの不正が起こりやすい構造になっている。他にもネットユーザ識別の困難性や顧客ターゲティングの困難性、無料壁紙サービスが共存できない、といった問題が残っている。また、所謂広告会社が存在せず、広告ファイルを企業主が作成するので、そこには統一されたファイル形式や、大型広告をサイトにマッチングさせるためのデザインについての技術が存在していないこととなっている。
【００２５】
また、ネットユーザが情報発信者のＷｅｂサイトにアクセスした時点でサイトオーナーサーバがログ送信を行うことになり、ネットユーザがそのトップページの読み込みを途中で停止したり、そのトップページの読み込み中にページ移動したりしても、サイトオーナーサーバがログ送信を行ってしまう。そのため、広告を提供する側は広告がネットユーザ側に完全に伝わっていない状況であるにも関わらず、広告料を支払わなければならないという問題がある。
また、ネットユーザがそのトップページを読み込みんでいるにも関わらず、壁紙の広告画像が壊れている場合にもサイトオーナーサーバがログ送信を行ってしまう。しかも、このような壁紙の広告画像の壊れを外部から監視できる機能が無いため、広告を提供する側の信頼性が低下してしまう。
さらには、特許文献１では、トップページに表示される壁紙が、デザイン可能で、サイト毎にマッチさせられる状態で提供できる技術を持たないため、タレント広告等のイメージ広告の実施が不可能といえる。故に広告部分が上下の余白にわずかに配したテキスト情報のみによって構成されているため、広告のデザイン性に欠けるばかりか、アピール度を高めることも極めて困難である。それは、ページ本文のテキスト情報よりも目立たない配置となっている。つまり、ネットユーザがバナー広告よりも、その肝心な広告部分に気が付かない確率が高く、故に広告効果が極端に低い広告となっている。さらに、特許文献１には、ネット広告として最重要且つ必須機能といえる、クリックスルー機能が存在していない。これは、クリック率０％ということになり、広告主、広告会社共に、極めて儲かりにくいシステムになっている。
【００２６】
本発明は、このような状況に鑑みてなされたものであり、広告がネットユーザ側に完全に伝わっているかどうかの確認を確実に行うことができ、併せて広告配信を分散型とすることで、ネットユーザによるストレスの問題や、広告のデザイン性及びアピール度の問題を解消することができ、さらにネットユーザ識別と顧客ターゲティングを可能にし、ネット上で本格的に大規模なオンラインタレント広告を実施できるようにすることで収益性を高めることができるＷｅｂページ広告システムを提供することができるようにするものである。
【００２７】
【課題を解決するための手段】
本発明のＷｅｂページ広告システムは、広告データを提供する広告サービス会社ホストと、Ｗｅｂサイトを提供するサイトオーナーサーバ及び／又は契約プロバイダと、Ｗｅｂサイトを閲覧する携帯端末を含むネットユーザ端末とを備え、これらはインターネットを介して相互に通信できる構成とされたＷｅｂページ広告システムであって、広告サービス会社ホストは、広告掲載の契約が結ばれているサイトオーナーサーバ及び／又は契約プロバイダへ壁紙広告を含む広告データを送信する機能と、広告サービスを希望するいずれかのネットユーザ端末に対してＷｅｂサイトのトップページ又は各コンテンツページの壁紙広告の表示状態を監視する受信者ＩＤが個別に付与されたイオプログラムをプラグイン方式で提供する機能と、サイトオーナーサーバ及び／又は契約プロバイダが提供する壁紙広告を閲覧したいずれかのネットユーザ端末からの広告アクセスログを受け取る機能とを有し、サイトオーナーサーバ及び／又は契約プロバイダは、Ｗｅｂサイトのトップページ又は各コンテンツページに広告データを、広告サービス会社ホストとは分散して取り込み、広告サービス会社ホストの代わりに保守、管理する機能と、アクセスのあったいずれかのネットユーザ端末に対し、イオプログラムが予めプリインストールされていない場合のみ、Ｗｅｂサイトのトップページ又は各コンテンツページの壁紙広告の表示状態を監視するプリインストール版の受信者ＩＤが付与されたイオプログラムをプラグイン方式で提供する機能とを有し、ネットユーザ端末は、Ｗｅｂサイトの閲覧機能と、イオプログラムをプラグイン方式でインストールする機能と、予めプリインストールされた形式のイオプログラムにより、Ｗｅｂサイトのトップページ又は各コンテンツページの壁紙広告が正常に表示されたか否かを確認し、正常に表示された場合には広告アクセスログを作成する機能と、広告サービス会社ホストに広告アクセスログのみを送信する機能とを有していることを特徴とする。
また、広告サービス会社ホストは、壁紙広告を識別するためのファイルＩＤと、サイトオーナーサーバ及び／又は契約プロバイダのオーナーを識別するための送信者ＩＤとをログ管理データベースに登録した後、壁紙広告を含む広告データのヘッダ領域に画像形式やファイルＩＤ又は送信者ＩＤを記録し、壁紙広告を含む広告データのフッタ領域には送信者ＩＤ又はファイルＩＤを記録し、広告データを送信する機能を有し、
サイトオーナーサーバ及び／又は契約プロバイダは、壁紙広告をＷｅｂページのトップページ又は各コンテンツページに取り込み、自らが提供するＷｅｂサイトとともにファイル管理データベースにファイルとして取り込み、登録、保守、管理し、その登録されているファイルをアクセスのあったネットユーザ端末に送信する機能を有し、ネットユーザ端末は、Ｗｅｂサイトのトップページ又は各コンテンツページが表示されるとき、予めプリインストールされた形式のイオプログラムにより、壁紙広告のフッタ領域に記録されている送信者ＩＤ又はファイルＩＤの確認によって正常に表示されたと認識されると、ファイルＩＤ及び送信者ＩＤとネットユーザを識別するためにイオプログラムに個別に付与されている受信者ＩＤとからなる広告アクセスログが作成され、広告サービス会社ホストに広告アクセスログのみを送信する機能を有するようにすることができる。
また、広告サービス会社ホストは、広告アクセスログ内のファイルＩＤや送信者ＩＤと、ログ管理データベースに既に登録されているファイルＩＤや送信者ＩＤとが一致していなければ、広告アクセスログを破棄扱いにし、さらにログ管理データベースにサービスに加入した全てのネットユーザの郵便番号、住所、氏名、年齢、職業、性別、電話番号、メールアドレス、趣味嗜好等の属性と、サイトオーナーサーバ及び／又は契約プロバイダの全てのオーナーの郵便番号、住所、氏名、年齢、職業、性別、電話番号、メールアドレス、趣味嗜好等の属性、所有サイトの種別とを蓄積し、それぞれのネットユーザを識別するための受信者ＩＤやそれぞれのオーナーを識別するための送信者ＩＤを基に、広告アクセスログ内の受信者ＩＤや送信者ＩＤと照合し、一致した場合には情報を個人プライバシーを侵害しないレベルで営業活動に利用できるように抽出、分析、加工する機能とを有するようにすることができる。
また、壁紙広告は、ｊｐｇ，ｇｉｆ，ｐｎｇ，ｂｍｐ，ｐｉｃｔ，ｔｉｆｆ等の標準的ブラウザで使用可能な全ての静止画像形式及び／又はフラッシュ，ｍｐｅｇ，ａｖｉ，ｍｏｖ等の標準的ブラウザで使用可能な全ての動画や音声形式によって構成され、また、広告サービス会社ホストにより広告データの提供を受ける時点で、これらの形式とｐｓｄ，ｐｘａ等のレイヤー状のファイル形式を有し、自由に編集可能な状態で構成されたもの全てにファイルＩＤ及び送信者ＩＤが付されている構造を有し、さらにカスタマイズ機能と画像編集処理機能とを備えるようにすることができる。
また、壁紙広告は、広告サービス会社ホストが個人又は法人サイトオーナーの情報に対して付与された送信者ＩＤが同じく付与され、無償提供された広告管理編集アップロードソフトウェア及び／又は同一機能を有する市販ソフトウェアにより、Ｗｅｂサイトのトップページ又は各コンテンツページに取り込まれるものであり、壁紙広告をネットユーザが閲覧し、イオプログラムによりアクセスログの送信を受ける場合、広告サービス会社ホストがサイトオーナーに対して対価を伴う場合には送信者ＩＤ及び／又はファイルＩＤが付され、対価を伴わない場合には送信者ＩＤ及び／又はファイルＩＤが広告サービス会社ホストにて付されず、広告管理編集アップロードソフトウェア及び／又は同一機能を有する市販ソフトウェアに送信者ＩＤがシリアルナンバーとして打ち込まれた場合、同一送信者ＩＤを持つ壁紙広告は同一送信者ＩＤを持つ広告管理編集アップロードソフトウェア及び／又は同一機能を有する市販ソフトウェアいずれかただひとつでしか、管理編集アップロードできないようにすることができる。
また、イオプログラムは、サイトオーナーサーバ及び／又は契約プロバイダとは独立してプリインストールされた形状、又はＯＳ、ブラウザ、ネットワークＯＳの一機能としてネットユーザ端末内に存在し、壁紙広告のフッタ領域に記録されている送信者ＩＤ又はファイルＩＤの確認と、これら送信者ＩＤ及びファイルＩＤの抽出と、ネットユーザを識別するためのイオプログラムに個別に付与されている受信者ＩＤの確認とを行うとともに、抽出した送信者ＩＤ及びファイルＩＤと確認した受信者ＩＤとから、これら送信者ＩＤ、ファイルＩＤ及び受信者ＩＤを含む広告アクセスログの作成を行い、壁紙広告のフッタ領域に記録されている送信者ＩＤの確認を以て１ページビューとし、それを正常な広告表示完了とみなす広告表示エラーチェック機能を有しているようにすることができる。
また、広告データには、壁紙広告ロゴアイコン、ゲットインフォアイコンが含まれているとともに、これら壁紙広告ロゴアイコン、ゲットインフォアイコンは送信者ＩＤ及び／又はファイルＩＤが付され、壁紙広告掲載ページ内の任意の位置に配置され、これらアイコンは共にクリックスルー機能を有し、広告主企業サイトの被広告物の掲載ページ及び／又は任意ウェブページを別ウィンドウを開いて表示する機能がもたされているようにすることができる。
また、イオプログラムは、サイトオーナーサーバ及び／又は契約プロバイダとは独立してプリインストールされた形状、又はＯＳ、ブラウザ、ネットワークＯＳの一機能としてネットユーザ端末内に存在し、壁紙広告ロゴアイコン、ゲットインフォアイコンのクリックスルーを確認すると、壁紙広告ロゴアイコン、ゲットインフォアイコンのフッタ領域に記録されている送信者ＩＤ又はファイルＩＤの確認と、これら送信者ＩＤ及びファイルＩＤの抽出と、ネットユーザを識別するための受信者ＩＤの確認とを行うとともに、抽出した送信者ＩＤ及びファイルＩＤと確認した受信者ＩＤとから、これら送信者ＩＤ、ファイルＩＤ及び受信者ＩＤを含む広告アクセスログの作成を行い、広告サービス会社ホストに広告アクセスログのみを送信する機能を有しているようにすることができる。
また、イオプログラムは、ネットユーザ端末によって画面に表示された壁紙広告がコピーされるとき、送信者ＩＤ及び／又はファイルＩＤが確認された場合もコピーを許可されるが、送信者ＩＤ付きの壁紙広告は同一送信者ＩＤを持つ広告管理編集アップロードソフトウェア及び／又は同一機能を有する市販ソフトウェアいずれかただひとつでしか、編集アップロードできない機能を実装しているようにすることができる。
本発明のＷｅｂページ広告方法は、広告データを提供する広告サービス会社ホストと、Ｗｅｂサイトを提供するサイトオーナーサーバ及び／又は契約プロバイダと、Ｗｅｂサイトを閲覧する携帯端末を含むネットユーザ端末とを備え、これらはインターネットを介して相互に通信できる構成とされたＷｅｂページ広告方法であって、広告サービス会社ホストは、広告掲載の契約が結ばれているサイトオーナーサーバ及び／又は契約プロバイダへ壁紙広告を含む広告データを送信する工程と、広告サービスを希望するいずれかのネットユーザ端末に対してＷｅｂサイトのトップページ又は各コンテンツページの壁紙広告の表示状態を監視する受信者ＩＤが個別に付与されたイオプログラムをプラグイン方式で提供する工程と、サイトオーナーサーバ及び／又は契約プロバイダが提供する壁紙広告を閲覧したいずれかのネットユーザ端末からの広告アクセスログを受け取る工程とを有し、サイトオーナーサーバ及び／又は契約プロバイダは、Ｗｅｂサイトのトップページ又は各コンテンツページに広告データを、広告サービス会社ホストとは分散して取り込み、広告サービス会社ホストの代わりに保守、管理する工程と、アクセスのあったいずれかのネットユーザ端末に対し、イオプログラムが予めプリインストールされていない場合のみ、Ｗｅｂサイトのトップページ又は各コンテンツページの壁紙広告の表示状態を監視するプリインストール版の受信者ＩＤが付与されたイオプログラムをプラグイン方式で提供する工程とを有し、ネットユーザ端末は、Ｗｅｂサイトの閲覧工程と、イオプログラムをプラグイン方式でインストールする工程と、予めプリインストールされた形式のイオプログラムにより、Ｗｅｂサイトのトップページ又は各コンテンツページの壁紙広告が正常に表示されたか否かを確認し、正常に表示された場合には広告アクセスログを作成する工程と、広告サービス会社ホストに広告アクセスログのみを送信する工程とを有していることを特徴とする。
また、広告サービス会社ホストは、壁紙広告を識別するためのファイルＩＤと、サイトオーナーサーバ及び／又は契約プロバイダのオーナーを識別するための送信者ＩＤとをログ管理データベースに登録した後、壁紙広告を含む広告データのヘッダ領域に画像形式やファイルＩＤ又は送信者ＩＤを記録し、壁紙広告を含む広告データのフッタ領域には送信者ＩＤ又はファイルＩＤを記録し、広告データを送信する工程を有し、サイトオーナーサーバ及び／又は契約プロバイダは、壁紙広告をＷｅｂページのトップページ又は各コンテンツページに取り込み、自らが提供するＷｅｂサイトとともにファイル管理データベースにファイルとして取り込み、登録、保守、管理し、その登録されているファイルをアクセスのあったネットユーザ端末に送信する工程を有し、ネットユーザ端末は、Ｗｅｂサイトのトップページ又は各コンテンツページが表示されるとき、予めプリインストールされた形式のイオプログラムにより、壁紙広告のフッタ領域に記録されている送信者ＩＤ又はファイルＩＤの確認によって正常に表示されたと認識されると、ファイルＩＤ及び送信者ＩＤとネットユーザを識別するためにイオプログラムに個別に付与されている受信者ＩＤとからなる広告アクセスログが作成され、広告サービス会社ホストに広告アクセスログのみを送信する工程を有するようにすることができる。
また、広告サービス会社ホストは、広告アクセスログ内のファイルＩＤや送信者ＩＤと、ログ管理データベースに既に登録されているファイルＩＤや送信者ＩＤとが一致していなければ、広告アクセスログを破棄扱いにし、さらにログ管理データベースにサービスに加入した全てのネットユーザの郵便番号、住所、氏名、年齢、職業、性別、電話番号、メールアドレス、趣味嗜好等の属性と、サイトオーナーサーバ及び／又は契約プロバイダの全てのオーナーの郵便番号、住所、氏名、年齢、職業、性別、電話番号、メールアドレス、趣味嗜好等の属性、所有サイトの種別とを蓄積し、それぞれのネットユーザを識別するための受信者ＩＤやそれぞれのオーナーを識別するための送信者ＩＤを基に、広告アクセスログ内の受信者ＩＤや送信者ＩＤと照合し、一致した場合には情報を個人プライバシーを侵害しないレベルで営業活動に利用できるように抽出、分析、加工する工程とを有するようにすることができる。
また、壁紙広告は、ｊｐｇ，ｇｉｆ，ｐｎｇ，ｂｍｐ，ｐｉｃｔ，ｔｉｆｆ等の標準的ブラウザで使用可能な全ての静止画像形式及び／又はフラッシュ，ｍｐｅｇ，ａｖｉ，ｍｏｖ等の標準的ブラウザで使用可能な全ての動画や音声形式によって構成され、また、広告サービス会社ホストにより広告データの提供を受ける時点で、これらの形式とｐｓｄ，ｐｘａ等のレイヤー状のファイル形式を有し、自由に編集可能な状態で構成されたもの全てにファイルＩＤ及び送信者ＩＤが付されている構造を有し、さらにカスタマイズ機能と画像編集処理機能とを備えるようにすることができる。
また、壁紙広告は、広告サービス会社ホストが個人又は法人サイトオーナーの情報に対して付与された送信者ＩＤが同じく付与され、無償提供された広告管理編集アップロードソフトウェア及び／又は同一機能を有する市販ソフトウェアにより、Ｗｅｂサイトのトップページ又は各コンテンツページに取り込まれるものであり、壁紙広告をネットユーザが閲覧し、イオプログラムによりアクセスログの送信を受ける場合、広告サービス会社ホストがサイトオーナーに対して対価を伴う場合には送信者ＩＤ及び／又はファイルＩＤが付され、対価を伴わない場合には送信者ＩＤ及び／又はファイルＩＤが広告サービス会社ホストにて付されず、広告管理編集アップロードソフトウェア及び／又は同一機能を有する市販ソフトウェアに送信者ＩＤがシリアルナンバーとして打ち込まれた場合、同一送信者ＩＤを持つ壁紙広告は同一送信者ＩＤを持つ広告管理編集アップロードソフトウェア及び／又は同一機能を有する市販ソフトウェアいずれかただひとつでしか、管理編集アップロードできないようにすることができる。
また、イオプログラムは、サイトオーナーサーバ及び／又は契約プロバイダとは独立してプリインストールされた形状、又はＯＳ、ブラウザ、ネットワークＯＳの一機能としてネットユーザ端末内に存在し、壁紙広告のフッタ領域に記録されている送信者ＩＤ又はファイルＩＤの確認と、これら送信者ＩＤ及びファイルＩＤの抽出と、ネットユーザを識別するためのイオプログラムに個別に付与されている受信者ＩＤの確認とを行うとともに、抽出した送信者ＩＤ及びファイルＩＤと確認した受信者ＩＤとから、これら送信者ＩＤ、ファイルＩＤ及び受信者ＩＤを含む広告アクセスログの作成を行い、壁紙広告のフッタ領域に記録されている送信者ＩＤの確認を以て１ページビューとし、それを正常な広告表示完了とみなす広告表示エラーチェック機能を有しているようにすることができる。
また、広告データには、壁紙広告ロゴアイコン、ゲットインフォアイコンが含まれているとともに、これら壁紙広告ロゴアイコン、ゲットインフォアイコンは送信者ＩＤ及び／又はファイルＩＤが付され、壁紙広告掲載ページ内の任意の位置に配置され、これらアイコンは共にクリックスルー機能を有し、広告主企業サイトの被広告物の掲載ページ及び／又は任意ウェブページを別ウィンドウを開いて表示する機能がもたされているようにすることができる。
また、イオプログラムは、サイトオーナーサーバ及び／又は契約プロバイダとは独立してプリインストールされた形状、又はＯＳ、ブラウザ、ネットワークＯＳの一機能としてネットユーザ端末内に存在し、壁紙広告ロゴアイコン、ゲットインフォアイコンのクリックスルーを確認すると、壁紙広告ロゴアイコン、ゲットインフォアイコンのフッタ領域に記録されている送信者ＩＤ又はファイルＩＤの確認と、これら送信者ＩＤ及びファイルＩＤの抽出と、ネットユーザを識別するための受信者ＩＤの確認とを行うとともに、抽出した送信者ＩＤ及びファイルＩＤと確認した受信者ＩＤとから、これら送信者ＩＤ、ファイルＩＤ及び受信者ＩＤを含む広告アクセスログの作成を行い、広告サービス会社ホストに広告アクセスログのみを送信する機能を有しているようにすることができる。
また、イオプログラムは、ネットユーザ端末によって画面に表示された壁紙広告がコピーされるとき、送信者ＩＤ及び／又はファイルＩＤが確認された場合もコピーを許可されるが、送信者ＩＤ付きの壁紙広告は同一送信者ＩＤを持つ広告管理編集アップロードソフトウェア及び／又は同一機能を有する市販ソフトウェアいずれかただひとつでしか、編集アップロードできない機能を実装しているようにすることができる。
本発明の記録媒体は、請求項１０〜１８のいずれかのＷｅｂページ広告方法を実行するための工程が記録されていることを特徴とする。
本発明に係るＷｅｂページ広告システムにおいては、広告サービス会社ホストに、広告掲載の契約が結ばれているサイトオーナーサーバ及び／又は契約プロバイダへ壁紙広告を含む広告データを送信し、広告サービスを希望するいずれかのネットユーザ端末に対してＷｅｂサイトのトップページ又は各コンテンツページの壁紙広告の表示状態を監視する受信者ＩＤが個別に付与されたイオプログラムをプラグイン方式で提供し、サイトオーナーサーバ及び／又は契約プロバイダが提供する壁紙広告を閲覧したいずれかのネットユーザ端末からの広告アクセスログを受け取る機能をもたせ、サイトオーナーサーバ及び／又は契約プロバイダに、Ｗｅｂサイトのトップページ又は各コンテンツページに広告データを、広告サービス会社ホストとは分散して取り込み、広告サービス会社ホストの代わりに保守、管理し、アクセスのあったいずれかのネットユーザ端末に対し、イオプログラムが予めプリインストールされていない場合のみ、Ｗｅｂサイトのトップページ又は各コンテンツページの壁紙広告の表示状態を監視するプリインストール版の受信者ＩＤが付与されたイオプログラムをプラグイン方式で提供する機能をもたせ、ネットユーザ端末に、Ｗｅｂサイトの閲覧機能と、イオプログラムをプラグイン方式でインストールする機能と、予めプリインストールされた形式のイオプログラムにより、Ｗｅｂサイトのトップページ又は各コンテンツページの壁紙広告が正常に表示されたか否かを確認し、正常に表示された場合には広告アクセスログを作成する機能と、広告サービス会社ホストに広告アクセスログのみを送信する機能とをもたせるようにする。
【００２８】
【発明の実施の形態】
以下、本発明の実施の形態について説明する。
図１は、本発明のＷｅｂページ広告システムの一実施の形態を示す図であり、広告サービス会社ホスト１０、サイトオーナーサーバ２０、ネットユーザ端末３０を備え、さらにイオプログラム（監視プログラム）６０がネットユーザ端末３０に予めプリインストールされた状態で、これらはインターネット４０を介して相互に通信できる構成となっている。
広告サービス会社ホスト１０は、広告サービス会社が保有するものであり、広告掲載の契約が結ばれているサイトオーナーサーバ２０へ後述の壁紙広告５０を含む広告データを送信する機能と、広告サービスを希望するいずれかのネットユーザ端末３０に対してＷｅｂサイトのトップページ又は各コンテンツページの壁紙広告の表示状態を監視するイオプログラム６０をプラグイン方式で提供する機能と、サイトオーナーサーバ２０が提供する壁紙広告５０を閲覧したいずれかのネットユーザ端末３０からの広告アクセスログを受け取る機能とを有している。ここで、イオプログラム６０は、各個人情報の提供と引き替えに提供されるものである。また、そのイオプログラム６０には、その個人情報に対応させて個別に付与された受信者ＩＤ９０が付与されている。また、個人情報としては、後述のように、郵便番号、住所、氏名、性別、年齢、職種、メルアド、趣味嗜好、サイト属性等としてもよい。
【００２９】
また、ここでのサイトオーナーサーバ２０は、一般に法人ユーザが保有するものを意味するが、個人ユーザの場合の契約プロバイダを含めるようにしてもよく、以下の説明では契約プロバイダを含めてサイトオーナーサーバ２０とする。
また、広告サービス会社ホスト１０は、広告サービスを希望するいずれかのネットユーザ端末３０に対して上述した受信者ＩＤ９０が付与されたイオプログラム６０を提供する場合、広告報酬サービス（バリュー契約）と無料壁紙サービス（フリー契約）とを選択することに伴う契約を行わせる機能を有している。、広告サービス会社ホスト１０上で契約を行うこととなる。そして、サービス希望者は広告サービス会社ホスト１０上で、サイトオーナーとして広告収入を得たいならバリュー契約を、壁紙を集めたり自サイトにアップして楽しみたいだけなら、フリー契約を選ぶことができる。また、サービス希望者は無料で広告管理編集アップロードソフトウェアとイオプログラム６０とのセットをダウンロードできる。バリュー契約希望者は広告サービス会社ホスト１０の契約ページで詳しい個人データを入力後、後述の送信者ＩＤ８０の即時又はメール発行を受ける。それを用意されたサンプルページで欲しい後述の壁紙広告５０を選択するときに打ち込むと、後述のファイルＩＤ７０＋送信者ＩＤ８０が振られた壁紙広告５０を含む広告データがメールで届く。あとは同じく広告サービス会社ホスト１０から広告管理編集アップロードソフトウェアをダウンロード後、送信者ＩＤ８０をシリアルナンバーの様にソフトに打ち込む。このソフトウェアは一般に壁紙広告ソフトウェアという。
【００３０】
これでこのソフトウェアでしか同一の送信者ＩＤ８０付きの壁紙広告５０は使えなくなる。なお、ソフトウェアの内容には同一の送信者ＩＤ８０（この場合は受信者ＩＤ９０ともいえる）が振られたイオプログラム６０もセットで含まれている。その後、サイトオーナーは壁紙広告５０を自サイトにアップし、所定の期間を経ると広告サービス会社の審査を受け、不正事項が無ければ所定の報酬を受け取れる。
フリー契約希望者は、簡単な個人データ入力後、送信者ＩＤ８０の即時又はメール発行を受ける。それを欲しい壁紙広告５０を選択するときに打ち込まず、その場でダウンロードすると、後述のファイルＩＤ７０のみ振られた壁紙広告５０（サンプル、コレクション用）が入手できる。あとは壁紙広告ソフトウェアをダウンロードし、今度も送信者ＩＤ８０の打ち込み無しで使用し、サイトにアップできる。サイトが賑わって来たら、広告サービス会社ホスト１０にて詳しい個人データを提供し、バリュー契約に切り替えることもできる。
また、広告サービス会社ホスト１０にて、ネットユーザは壁紙広告サービスメンバーに加入できる。これは広告サービス会社が提供する無料壁紙ダウンロードサービスである。契約ページでフリー契約と同レベルの個人データをフォーム入力すると加入できる。そしてフリー契約と同じ特典として、壁紙広告５０（サンプル、コレクション用）と壁紙広告ソフトウェアが無料でダウンロードでき、壁紙広告ニュース等のメール配信を受けられ、プレゼント等にも参加できる。この場合もイオプログラム６０に個人データ毎に送信者ＩＤ８０、言い換えて受信者ＩＤ９０が振られている。両ＩＤは纏めてユーザＩＤと呼べるものであり、広告を送信するか、受信するか立場によって、呼び名が変わる。
【００３１】
また、イオプログラム６０はサービス加入後、ネット上で自動的にオンラインインストールされてもよい。また、ネットユーザが壁紙広告５０の無料ダウンロードサービスだけを楽しみたいときは、イオプログラム６０だけをオンラインインストールさせてもよい。また、広告サービス会社ホスト１０は、壁紙広告５０をダウンロードできるサンプルページに認証システムを設け、ユーザＩＤ、つまり送信者ＩＤ８０又は受信者ＩＤ９０を打ち込んだネットユーザしかログインできない様にしてもよい。広告サービス会社ホスト１０は、いずれにせよ、壁紙広告５０（サンプル、コレクション用）と壁紙広告ソフトウェアを無料提供するかわりに、ネットユーザにイオプログラム６０をインストールさせ、個人情報を入手することができる。
【００３２】
また、広告サービス会社ホスト１０は、自らメンバーに加入していないネットユーザに対しては、各ハードウェア販売会社、各ＯＳ、ブラウザ等のソフトウェア会社等と提携し、予めイオプログラム６０をプラグイン方式で各ハードウェアにプリインストールしておく契約を行ってもよい。またイオプログラム６０はＯＳやブラウザ、ネットワークＯＳの一機能として提供されるものでもよい。プリインストール版のイオプログラム６０には、個別の受信者ＩＤ９０が各々振られ、「使用ＯＳ、ブラウザのバージョン、各メーカー情報、その他情報、プリインスト版受信者ＩＤ１２３ＡＢＣ」等の情報を代理し、ユニークユーザ完全特定機能がある。ネットユーザが情報を提供し、よりよいサービスを受けたくなったときは、広告サービス会社ホスト１０にて受信者ＩＤ付きのイオプログラム６０を入手できることになる。本システムにおける個人情報データとは、郵便番号、住所、氏名、年齢、職業、性別、電話番号、メールアドレス、趣味嗜好等の属性、所有サイトの種別、その他フォーム入力されたアンケート情報等である。法人やメディアレップの場合は、抱える顧客情報である。それら全ては、ネットユーザの同意を得て、個人プライバシーを侵害しないレベルで営業活動に利用するものである。なお、広告サービス会社は、サイトオーナー、ネットユーザに対し、これらのサービスを全て無料で行ってよい。
【００３３】
また、広告サービス会社ホスト１０は、後述の壁紙広告５０を識別するためのファイルＩＤ７０と、サイトオーナーサーバ２０を識別するための送信者ＩＤ８０と予め入手済みの受信者ＩＤ９０とをログ管理データベース１１に登録した後、壁紙広告５０を含む広告データのヘッダ領域に画像形式やファイルＩＤ７０又は送信者ＩＤ８０を記録し、壁紙広告５０を含む広告データのフッタ領域には送信者ＩＤ８０又はファイルＩＤ７０を記録する機能と、壁紙広告５０、ファイルＩＤ７０及び送信者ＩＤ８０を含む広告データをサイトオーナーサーバ２０に送信する機能とを有している。
また、広告サービス会社ホスト１０は、広告アクセスログ内のファイルＩＤ７０や送信者ＩＤ８０と、ログ管理データベース１１に既に登録されているファイルＩＤ７０や送信者ＩＤ８０とが一致していなければ、広告アクセスログを破棄扱いにし、さらにログ管理データベース１１にサービスに加入した全てのネットユーザの郵便番号、住所、氏名、年齢、職業、性別、電話番号、メールアドレス、趣味嗜好等の属性と、サイトオーナーサーバ２０の全てのオーナーの郵便番号、住所、氏名、年齢、職業、性別、電話番号、メールアドレス、趣味嗜好等の属性と所有サイトの種別とを蓄積し、それぞれのネットユーザを識別するための受信者ＩＤ９０やそれぞれのオーナーを識別するための送信者ＩＤ８０を基に、広告アクセスログ内の受信者ＩＤ９０や送信者ＩＤ８０と照合し、一致した場合には情報を個人プライバシーを侵害しないレベルで営業活動に利用できるように抽出、分析、加工する機能があり、ユニークユーザ完全特定機能を実装し、さらに広告流通把握を行う機能を備え、顧客ターゲティング機能を装備し、売りたい顧客を選んで正確無比に広告投下できる機構を有している。
【００３４】
サイトオーナーサーバ２０は、Ｗｅｂサイトのトップページ又は各コンテンツページに上述した広告データを広告サービス会社ホスト１０に対し、分散型サーバ構成として取り込み、ホストの代わりに保守、管理する機能と、アクセスのあったいずれかのネットユーザ端末３０に対し、ネットユーザがイオプログラム６０を予めプリインストールしていない場合のみ、Ｗｅｂサイトのトップページ又は各コンテンツページの壁紙広告５０の表示状態を監視するイオプログラム６０をプリインストール版の受信者ＩＤ９０を持つプラグイン方式で提供する機能とを有している。
また、サイトオーナーサーバ２０は、壁紙広告５０をＷｅｂページのトップページ又は各コンテンツページに取り込み、自らが提供するＷｅｂサイトとともにファイル管理データベース２１にファイルとして広告サービス会社ホスト１０に対し、分散型サーバ構成として取り込み、ホストの代わりに登録、保守、管理し、その登録されているファイルをアクセスのあったネットユーザ端末３０に送信する機能を有している。
【００３５】
ここで、壁紙広告５０は、ｊｐｇ，ｇｉｆ，ｐｎｇ，ｂｍｐ，ｐｉｃｔ，ｔｉｆｆ等の標準的ブラウザで使用可能な全ての静止画像形式及び／又はフラッシュ，ｍｐｅｇ，ａｖｉ，ｍｏｖ等の全ての動画や音声形式によって構成され、また、広告サービス会社ホスト１０により広告データの提供を受ける時点で、これらの形式とｐｓｄ，ｐｘａ等レイヤー状のファイル形式を有し、自由に編集可能な状態で構成されたもの全てにファイルＩＤ及び送信者ＩＤが付されている構造を有し、カスタマイズ機能を実装し、クリエイティブによるソフトウェアを利用する画像編集処理機能を備え、ＴＶＣＭと同一資本でプロが作成するための組み合わせとバリエーションを持つ構造であり、高い表現力とヴィジアル性のための十分な色数を有し、タレント、プロスポーツ選手、版権キャラクター等を起用するために人形又はキャラクター単位の編集可能なレイヤー部位を備え、高いクリックスルー率を目的とした高解像度の形状を有し、コレクションが可能なファイル形式に変換する性能を持ち、さらにカスタマイズ機能により、同じ広告を２度見ると広告効果が半減するバーンアウト（広告逓減）防止機能を備え、またサイトデザインを向上させるための性能を有し、それらは従来の壁紙画像ファイルと同等の扱いを受け、さらにそれらを広告として応用せしめる技術が存在することを特徴としている。
【００３６】
また、壁紙広告５０は、広告サービス会社ホスト１０が個人又は法人サイトオーナーの情報に対して付与された送信者ＩＤ８０が同じく付与され、無償提供された広告管理編集アップロードソフトウェア及び／又は同一機能を有する市販ソフトにより、Ｗｅｂサイトのトップページ又は各コンテンツページに取り込まれるものであり、壁紙広告５０をネットユーザが閲覧し、イオプログラム６０によりアクセスログの送信を受ける場合、広告サービス会社ホスト１０がサイトオーナーに対して壁紙広告５０の閲覧に対価を伴う場合には送信者ＩＤ８０及び／又はファイルＩＤ７０が付され、対価を伴わない場合には送信者ＩＤ８０及び／又はファイルＩＤ７０が広告サービス会社ホスト１０にて付されず、広告管理編集アップロードソフトウェア及び／又は同一機能を有する市販ソフトウェアに送信者ＩＤ８０がシリアルナンバーとして打ち込まれた場合、同一送信者ＩＤを持つ壁紙広告５０は同一送信者ＩＤを持つ広告管理編集アップロードソフトウェア及び／又は同一機能を有する市販ソフトウェアのいずれかただひとつでしか、管理編集アップロードできないことにより、報酬型広告サービスと無料版権壁紙配布サービスを共存させられる機能を有する。また、ＩＤ付きレイヤー形式で提供された壁紙広告５０を含む広告データセットは同一送信者ＩＤを打ち込まれた広告管理編集アップロードソフトウェア及び／又は同一機能を有する市販ソフトウェアにより、同一のファイルＩＤと送信者ＩＤのセット１組毎の管理を受け、広告画像編集中に容易にレイヤーを分割して不正利用できない機構を持ち、さらに編集完了後、ｊｐｇ，ｇｉｆ，ｐｎｇ，ｂｍｐ，ｐｉｃｔ，ｔｉｆｆ等の標準的ブラウザで使用可能な全ての静止画像形式及び／又はフラッシュ，ｍｐｅｇ，ａｖｉ，ｍｏｖ等の標準的ブラウザで使用可能な全ての動画や音声形式に変換、確定後、アップロードされる機構を有し、それらは従来の壁紙画像ファイルと同等の扱いを受け、さらにそれらを広告として応用せしめる技術が存在することを特徴としている。
【００３７】
ネットユーザ端末３０は、Ｗｅｂサイトの閲覧機能と、イオプログラム６０（監視プログラム）をプラグイン方式でインストールする機能と、予めプリインストールされた形式のイオプログラム６０（監視プログラム）により、Ｗｅｂサイトのトップページ又は各コンテンツページの壁紙広告５０が正常に表示されたか否かを確認し、正常に表示された場合には広告アクセスログを作成する機能と、広告サービス会社ホスト１０に広告アクセスログのみを送信する、分散型サーバ構成と、遠隔型方式のログ作成送信機能とを有している。
また、ネットユーザ端末３０は、Ｗｅｂサイトのトップページ又は各コンテンツページが表示されるとき、イオプログラム６０（監視プログラム）により、壁紙広告５０のフッタ領域に記録されている送信者ＩＤ８０又はファイルＩＤ７０の確認によって正常に表示されたと認識されると、ファイルＩＤ７０及び送信者ＩＤ８０とネットユーザを識別するためにイオプログラム６０に個別に付与されている受信者ＩＤ９０とからなる広告アクセスログが作成される機能を有している。
【００３８】
ここで、イオプログラム６０は、サイトオーナーサーバ２０とは独立してプリインストールされた形状、又はＯＳ、ブラウザ、ネットワークＯＳの一機能としてネットユーザ端末３０内に存在し、壁紙広告５０のフッタ領域に記録されている送信者ＩＤ８０又はファイルＩＤ７０の確認と、これら送信者ＩＤ８０及びファイルＩＤ７０の抽出と、ネットユーザを識別するためのイオプログラム６０に個別に付与されている受信者ＩＤ９０の確認を行うとともに、抽出した送信者ＩＤ８０及びファイルＩＤ７０と確認した受信者ＩＤ９０とから、これら送信者ＩＤ８０、ファイルＩＤ７０及び受信者ＩＤ９０を含む広告アクセスログの作成を行い、これにより、壁紙広告５０のフッタ領域に記録されている送信者ＩＤ８０の確認を以て１ページビューとし、それを正常な広告表示完了とみなし、安全に広告収入の分配を行える、広告表示エラーチェック機能を有している。
また、イオプログラム（監視プログラム）は、ネットユーザ端末３０によって画面に表示された壁紙広告５０がコピーされるとき、送信者ＩＤ及び／又はファイルＩＤが確認された場合もコピーを許可されるが、送信者ＩＤ付きの壁紙広告は同一送信者ＩＤを持つ広告管理編集アップロードソフトウェア及び／又は同一機能を有する市販ソフトウェアいずれかただひとつでしか、編集アップロードできない機能を実装していることを特徴としている。
なお、ネットユーザ端末３０としては、デスクトップパソコン、ノートパソコン、ＰＤＡ、携帯電話、デジタルテレビ、デジタルＡＶ機器、ゲーム機、ハンディーゲーム機、ＯＡ機器等のネット接続可能なあらゆる電子機器を用いることができる。
【００３９】
次に、上述した壁紙広告５０の詳細について説明する。
まず、図２は、壁紙広告５０の構造を説明するための図である。壁紙広告５０は、ファイル領域５１、ヘッダ領域５２及びフッタ領域５３からなる。ファイル領域５１には、ｊｐｇ，ｇｉｆ，ｐｎｇ，ｂｍｐ，ｐｉｃｔ，ｔｉｆｆ等の標準的ブラウザで使用可能な全ての静止画像形式及び／又はフラッシュ，ｍｐｅｇ，ａｖｉ，ｍｏｖ等の全ての動画や音声形式によって構成された広告データが取り込まれている。ヘッダ領域５２には、静止画像形式及び／又は動画や音声形式や、ファイルＩＤ７０が付されている。フッタ領域５３には、送信者ＩＤ８０が付されている。なお、ファイルＩＤ７０は、ヘッダ領域５２に限らず、フッタ領域５３に付されるようにしてもよいし、送信者ＩＤ８０は、フッタ領域５３に限らず、ヘッダ領域５２に付されるようにしてもよい。さらには、フッタ領域５３に送信者ＩＤ８０とファイルＩＤ７０とを組み合わせて付すようにしてもよい。また、編集前の壁紙広告５０を含む広告データは、各レイヤー部分全てに同じファイルＩＤ７０と送信者ＩＤ８０が振られている構造になっている。サンプル版の壁紙広告５０は、ファイルＩＤ７０のみ付されている。また広告サービス会社ホスト１０よりサンプル版をダウンロードする際、ｐｓｄ，ｐｘａ等レイヤー状のファイル形式か、ｊｐｇ等の標準形式か選べるようにしてもよい。また壁紙広告５０を設計するに当たって、新型のファイル形式を開発し、新しい拡張子を持たせたものを使用してもよい。
【００４０】
図３は、壁紙広告５０の具体例を示す図である。この場合、壁紙広告５０を法人サイトオーナーが経営する、オンラインスポーツショップに投下した例となっている。有名スポーツブランドのイメージキャラクターとして、有名プロスポーツ選手が起用されている。壁紙広告５０は、Ｗｅｂサイトのトップページ又は各コンテンツページに表示される。また、壁紙広告５０には、タレントの画像５４、壁紙広告ロゴアイコン５５及びゲットインフォアイコン５６等が含まれている。これら、タレントの画像５４、壁紙広告ロゴアイコン５５、ゲットインフォアイコン５６等は壁紙広告５０内の任意の位置に配置されるようにすることができる。また符号５８はサイトオーナーのホームページのコンテンツであり、タイトル、本文、飾り文字、リンク、各ボタン類等である。また符号５９は壁紙広告５０の内容物であり、メーカーロゴ、ロゴマーク、キャッチコピー等があり、壁紙広告５０内の任意の位置に配置されるようにすることができる。これら壁紙広告セットは、広告サービス会社ホスト１０より提供される広告データセットに含まれている。セット内のレイヤー状のデータは全て同じセットを示すファイルＩＤ７０と同一サイトオーナーを示す送信者ＩＤ８０が振られている構造になっている。特に壁紙広告データは、部分毎に何層かのレイヤーに分かれており、人物レイヤー、商品レイヤー、メーカーロゴレイヤー、キャッチコピーレイヤー、背景レイヤー、壁紙広告ロゴアイコンレイヤー、ゲットインフォアイコンレイヤー等がある。これらを、ホームページ作成ソフトウェアに壁紙広告用の機能を付加したものといえる広告管理編集アップロードソフトウェア及び／又は同一機能を有する市販ソフトにより編集して、サイトにアップする。このソフトウェアは一般に壁紙広告ソフトウェアと呼ばれるもので、サービス加入後広告サービス会社ホストから無償ダウンロードできる。セット内容には送信者ＩＤ８０を持つ。この場合、受信者ＩＤ９０ともいえる、イオプログラム６０も入っている。このソフトウェアには画像処理機能があり、明度、彩度、色相、モノクロ、セピア、パステルカラー、リサイズ、２，４，８，１６，３２分割、特殊効果用フィルター等様々組み合わせて変換できる豊富な機能がある。さらに多機能なレイアウト機能があるので、人物やロゴ、コピーなど好きな場所に配置でき、ネットにアップしたときどう見えるか確かめながら、サイトの内容物に広告を溶け込ませてページを作成できる。広告サービス会社が用意し、工夫を凝らした豊富なバリエーションを無編集で使用することもできる。また、各レイヤーはこのソフトウェアによって管理され、分割して不正利用できず、セット内のレイヤーはロゴや、コピーなども含め全てアップする規定となる。広告のアップ時は編集前のｐｓｄ，ｐｘａ等のレイヤー形式からｊｐｇ等の標準形式に変換、確定して全てこのソフトウェア一つでアップまでできる。また、送信者ＩＤ８０を持つ壁紙広告５０は、同じ送信者ＩＤ８０をシリアルナンバーとして打ち込まれたソフトウェアでしか取り扱えず、アップする場所や数量等も、このソフトにより制限を受ける。ここで、壁紙広告ロゴアイコン５５をクリックすると、広告サービス会社の提供するサービスサイトへ別ウィンドウを開きジャンプする様になっている。サービスに興味を持ったネットユーザは、ここで情報を得て上記のソフトウェアやイオプログラム６０、また無料壁紙を入手でき、サービスの加入や契約が行える。また、ゲットインフォアイコン５６をクリックすると、別ウィンドウを開き広告主企業のサイトにジャンプし、広告されていた商品やサービスの宣伝、販売ページに飛べる様になっている。これらは、広告サービス会社が任意に設定でき飛ぶ先はどこでもよい。例えばあらゆるファイルに設定し、それらをダウンロードすることもできる。
【００４１】
図４は、壁紙広告５０の一つエンター広告（ウェブポスター）の具体例を示す図である。この場合、壁紙広告５０を大手法人サイトオーナー、ここでは有名ポータルサイトを運営する企業サイトに投下した例である。大手家電メーカーのイメージキャラクターとして、有名タレントが起用されている。この壁紙広告５０は、上記同様に、Ｗｅｂサイトのトップページ又は各コンテンツページに表示できるが、ネットユーザが一番最初に目にするページに配すことを目的としたものである。そしてそれは、サイトの入り口、つまり雑誌に例えると表紙の役目を持ち、十分なインプレッション効果を発揮してから、ネットユーザをページインさせることができる。よって、壁紙広告をオリジナルクオリティーでそのまま、サイトの情報と重ねず、それ以前のページを設けてアップすることが有効である。具体例は有名な最大手検索エンジンに入る、入り口ページに壁紙広告５０を配すことを想定したものである。この場合、符号５８にあるサイトのタイトルの下のｅｎｔｅｒの文字から、検索ページにジャンプできる。また、壁紙広告５０には、タレントの画像５４、壁紙広告ロゴアイコン５５、ゲットインフォアイコン５６に加え、商品画像５７等が含まれている。これら、タレントの画像５４、壁紙広告ロゴアイコン５５、ゲットインフォアイコン５６、商品画像５７等は壁紙広告５０内の任意の位置に配置されるようにすることができる。また、このような大手有名ポータルサイトに、エンター広告等として壁紙広告を投下する場合、時間おき、ＰＶおきに別の壁紙広告が貼られていく、サイクル壁紙広告を使用してもよい。各部品はそれぞれ任意のページ、ファイルへクリックスルーさせる機能を持たせてもよい。また、その設定にクリッカブルマップ機能を用いてもよい。
【００４２】
次に、このような構成のＷｅｂページ広告システムによるＷｅｂページ広告方法について説明する。
まず、サイトオーナーサーバ２０が提供するＷｅｂサイトの上述した壁紙広告５０を有するＷｅｂサイトのトップページ又は各コンテンツページを閲覧するには、ネットユーザ端末３０にネットスケープやインターネットエクスプローラ等の一般的なブラウザを組み込んでおく必要がある。
そして、まず図５に示すように、ネットユーザが上述したように、壁紙広告サービスメンバーに加入する場合、契約ページでバリュー契約とフリー契約とのいずれかを選択して個人情報を入力することにより、サービス加入契約を行う（ステップＳ１−１）。サービス加入契約が結ばれると、上述したように、その個人情報の提供と引き替えに提供される受信者ＩＤ９０が付与されたイオプログラム６０がダウンロードされる（ステップＳ１−２）。そして、ネットユーザは、そのイオプログラム６０を、自動的にオンライン上で自己が保有するネットユーザ端末３０にプリインストールしておく（ステップＳ１−３）。
【００４３】
また、広告サービス会社とサイトオーナーとの間で、広告掲載の契約が結ばれると（ステップＳ１）、広告サービス会社ホスト１０により、サイトオーナーサーバ２０へ送信する上述した壁紙広告５０を識別するためのファイルＩＤ７０と、サイトオーナーを識別するための送信者ＩＤ８０とがログ管理データベース１１に登録される。その後、広告サービス会社ホスト１０からサイトオーナーサーバ２０へ、サンプルページでオーナーによって選ばれ、送信者ＩＤ８０を入力し、希望された広告データが送信される（ステップＳ２）。この広告データには、ログ管理データベース１１に登録された送信者ＩＤ８０、ファイルＩＤ７０及び壁紙広告５０が含まれている。つまり、広告データは、図２で説明した構造となっている。
広告データを受け取ったサイトオーナーは、サイトオーナーサーバ２０により、そのＷｅｂサイトのトップページ又は各コンテンツページに広告データを取り込む（ステップＳ３）。広告データを取り込む際には、上述したように、広告管理編集アップロードソフトウェアにより、Ｗｅｂサイトのトップページ又は各コンテンツページに取り込むようにすることができる。Ｗｅｂサイトのトップページ又は各コンテンツページに広告データが取り込まれたファイルは、ファイル管理データベース２１に登録される（ステップＳ４）。
【００４４】
ここで、いずれかのネットユーザ端末３０からサイトオーナーサーバ２０にアクセスがあると（ステップＳ５）、ファイル管理データベース２１に登録されているＷｅｂサイトのトップページ又は各コンテンツページのデータがアクセスのあったネットユーザ端末３０に送信される（ステップＳ６）。このとき、サイトオーナーサーバ２０からネットユーザ端末３０に対して上述した壁紙広告５０がページ内容と同時に送信される（ステップＳ７）。この壁紙広告５０は、Ｗｅｂサイトのトップページ又は各コンテンツページのデータが送信される前、又は同時、あるいは後のいずれであってもよい。また、ネットユーザ端末３０に上述したイオプログラム６０が予めプリインストールされていなければ、イオプログラム６０も送信され、そのイオプログラム６０がネットユーザ端末３０にダウンロードされる（ステップＳ８）。
このとき、ネットユーザ端末３０の画面には、たとえば図３に示したようなＷｅｂサイトのトップページ又は各コンテンツページに取り込まれた壁紙広告５０が表示される。この壁紙広告５０には、上述したように、タレントの画像５４、壁紙広告ロゴアイコン５５、ゲットインフォアイコン５６等が含まれている。これら、タレントの画像５４、壁紙広告ロゴアイコン５５、ゲットインフォアイコン５６等は壁紙広告５０内の任意の位置に配置されたものである。また、ネットユーザ端末３０の画面には、たとえば図４に示したようなＷｅｂサイトのトップページ又は各コンテンツページに取り込まれた壁紙広告５０が表示される。この壁紙広告５０には、上述したように、タレントの画像５４、壁紙広告ロゴアイコン５５、ゲットインフォアイコン５６、商品画像５７等が含まれている。
【００４５】
このような、壁紙広告５０は、ネットユーザ端末３０の画面全体に表示され、有名タレントが大きく起用されているので、ネットユーザに対するインパクト、インプレッション効果を強力にすることができる。つまり、従来のバナー広告やポップアップ広告等とは異なり、ページに割り込んだり、邪魔になったりせず、一見してその内容を確認できるため、無意識のうちにその内容を把握することができる。
そして、このような壁紙広告５０がネットユーザ端末３０の画面に表示された後に、予めプリインストールされたイオプログラム６０が起動し、そのイオプログラム６０により壁紙広告５０が正常に表示されたかどうかが監視される（ステップＳ９）。壁紙広告５０が正常に表示されたかどうかは、たとえば図２で説明したフッタ領域５３に記録されている送信者ＩＤ７０を確認することによって正常に表示が完了した、と監視することができる。ここで、壁紙広告５０が正常に表示されたと認識されると（ステップＳ１０）、イオプログラム６０により、壁紙広告５０のヘッダ領域５２のファイルＩＤ７０とフッタ領域５３の送信者ＩＤ８０とが抽出され、さらにネットユーザを識別するためのイオプログラム６０自身が持つ受信者ＩＤ９０が確認される。次いで、イオプログラム６０により、抽出した送信者ＩＤ８０及びファイルＩＤ７０と、作成した受信者ＩＤ９０とから、これら送信者ＩＤ８０、ファイルＩＤ７０及び受信者ＩＤ９０を含む広告アクセスログが作成される（ステップＳ１１）。これに対し、壁紙広告５０が正常に表示されなかった場合には、次の操作待ちとなる（ステップＳ１３）。
【００４６】
そして、作成された広告アクセスログは、ネットユーザ端末３０の通信機能によって広告サービス会社ホスト１０に送信される（ステップＳ１２）。その広告アクセスログを受け取った広告サービス会社ホスト１０は、その広告アクセスログをログ管理データベース１１に登録する（ステップＳ１４）。これで広告サービス会社ホスト１０は、あるファイルＩＤ７０を持つ壁紙広告Ａが、ある送信者ＩＤ８０を持つサイトオーナーＢにより、ある受信者ＩＤ９０を持つネットユーザＣへと送信された、と正確無比に情報を得ることができる。
ちなみに、ネットユーザが上述したトップページ又は各コンテンツページの読み込みを途中で停止したり、そのトップページ又は各コンテンツページの読み込み途中でページ移動したりして壁紙広告５０の表示を遮ると、壁紙広告５０のフッタ領域５３に記録されている送信者ＩＤ８０を確認することができないので、壁紙広告５０が正常に表示されないと認識される。また、壁紙広告５０の画像が壊れている場合も同様に、フッタ領域５３に記録されている送信者ＩＤを確認することができないので、壁紙広告５０が正常に表示されないと認識される。
この場合には、イオプログラム６０による広告アクセスログの作成が行われないため、上述したネットユーザ端末３０による広告アクセスログの広告サービス会社ホスト１０への送信が行われない。よって、広告サービス会社ホスト１０へは、ネットユーザ端末３０の画面に壁紙広告５０が正常に表示された場合にのみ広告アクセスログが送信される。
【００４７】
ここで、受信者ＩＤ９０としては、ネットユーザが自らの個人情報と引き替えに広告サービス会社ホスト１０にて入手しておき、ネットユーザ端末３０にインストールしておいたイオプログラム６０にシリアル番号と兼ねてもたらされている受信者ＩＤ９０を使用する。また、ネットユーザ端末３０に広告サービス会社１０と提携した各メーカーが、予め組み込んでおいた場合の、プリインストール版のイオプログラム６０には、個別の簡易版の受信者ＩＤ９０が各々振られている。それは「使用ＯＳ、ブラウザのバージョン、各メーカー情報、その他情報、プリインスト版受信者ＩＤ１２３ＡＢＣ」等の情報を代理し、使用される。ネットユーザがサービスに興味を持てば、広告サービス会社ホスト１０の契約ページでいつでも加入でき、正規の受信者ＩＤ９０を持つイオプログラム６０を入手できる。また、プリインスト版の場合、ネットユーザが一番最初にネットに繋いだとき、個人情報をユーザの同意を得てフォーム入力して貰い、広告サービス会社ホストへ送信する様にしてもよい。また、ネットユーザ端末３０にイオプログラム６０が存在しない場合には、アクセスログは作成されないが、その場合に限り、サイトオーナー側からイオプログラム６０が、サイトオーナー提供版としてワンセッションのみ送信され、ネットユーザの情報を読みとり、独自に簡易版の受信者ＩＤ９０を作成し、広告サービス会社ホスト１０に送信してもよい。また、その場合ＪＡＶＡ（登録商標）等のネットワークプログラムを用いてもよい。いずれにしても、ネットユーザを識別できればよい。ちなみにイオプログラムとは、「ＩＤオペレータープログラム」のことである。
【００４８】
また、壁紙広告５０は、Ｗｅｂサイトのトップページ又は各コンテンツページとともに表示されるため、従来の図７で説明したように、広告サービス会社ホスト１が複数のネットユーザ端末３に対して同時期にバナー広告やポップアップ広告等の広告データを送信しなければならない状況となる、所謂、広告配信の一点集中型とは異なり、サイトオーナーサーバ２０によって壁紙広告５０が予め取り込まれているトップページ又は各コンテンツページがネットユーザ端末３０に送信される、所謂、分散型となる。これにより、トップページ又は各コンテンツページの取り込みがスムーズなものとなり、ネットユーザに対してストレスを与えるようなことが無くなる。また、サイトオーナーサーバ２０に複数のアクセスが同時に生じても、広告配信の分散効果により、ネットユーザに対してストレスを与えるようなことが無くなる。また、このような壁紙広告５０がネットユーザに対してストレスを与えること無くスムーズに表示されることにより、壁紙広告５０がネットユーザの意思とは無関係に割り込んできた場合でも、ネットユーザに対してストレスを与えるようなことが無くなる。
ちなみに、ネットユーザが上述したＷｅｂサイトのトップページ又は各コンテンツページの読み込みを途中で停止したり、そのトップページ又は各コンテンツページの読み込み途中でページ移動したりすると、フッタ領域５３に記録されている送信者ＩＤ８０を確認することができないので、トップページ又は各コンテンツページが正常に表示されないと認識される。また、トップページ又は各コンテンツページの壁紙広告５０の画像が壊れている場合も同様に、フッタ領域５３に記録されている送信者ＩＤ８０を確認することができないので、トップページ又は各コンテンツページが正常に表示されないと認識される。
【００４９】
この場合には、イオプログラム６０による広告アクセスログの作成が行われないため、上述したネットユーザ端末３０による広告アクセスログの広告サービス会社ホスト１０への送信が行われない。よって、広告サービス会社ホスト１０へは、ネットユーザ端末３０の画面にＷｅｂサイトのトップページ又は各コンテンツページの壁紙広告５０が正常に表示された場合にのみ広告アクセスログが送信される。
また、イオプログラム６０は、図６に示すように、壁紙広告５０のゲットインフォアイコン５６をクリックスルーしたかどうかを監視している（ステップＳ１５）。ここで、クリックスルーが有ると、イオプログラム６０により、壁紙広告５０を送信したサイトオーナーのどの広告をどのネットユーザがクリックしたかという広告アクセスログが作成されて広告サービス会社ホスト１０に送信される（ステップＳ１６，Ｓ１７）。その広告アクセスログを受け取った広告サービス会社ホスト１０は、その広告アクセスログをログ管理データベース１１に登録する（ステップＳ１８）。これで広告サービス会社ホスト１０は、あるファイルＩＤ７０を持つ壁紙広告Ａが、ある送信者ＩＤ８０を持つサイトオーナーＢにより、ある受信者ＩＤ９０を持つネットユーザＣへと送信され、クリックスルーされた、と正確無比に情報を得ることができる。
このとき、その広告アクセスログ内のファイルＩＤ７０や送信者ＩＤ８０と、ログ管理データベース１１に既に登録されているファイルＩＤ７０や送信者ＩＤ８０とが一致していなければ、その広告アクセスログを破棄するようにしてもよい。そして、広告サービス会社ホスト１０により、所定の期間毎に、ログ管理データベース１１に登録された広告アクセスログがカウントされ、アクセス数に応じた広告料が算出されるとともに、その支払い通知がサイトオーナーサーバ２０に通知される（ステップＳ２３）。
【００５０】
これに対し、（ステップＳ１５）において、クリックスルーが無ければ、次の操作待ちとなる（ステップＳ２２）。また、ネットユーザ端末３０の画面に上述した壁紙広告５０が表示されているとき、たとえば壁紙広告ロゴアイコン５５をクリックすることで壁紙広告５０の画像をダウンロードすることも可能であるとしてもよい。そして、壁紙広告５０の画像のダウンロードの要求が有ると、サイトオーナーサーバ２０から要求のあったネットユーザ端末３０に壁紙広告５０の画像が送信される。（ステップＳ１９〜Ｓ２１）また壁紙広告５０は、通常の壁紙画像ファイルと同じ様に扱えるので、ウェブブラウザの壁紙に設定コマンドで、パソコン等の壁紙として瞬時に設定できる。また、ネットユーザがクリックスルーして広告主企業サイトへジャンプした場合、そこに貼ってある壁紙広告サンプル版を入手したり、かわりに広告サービス会社ホストのサンプルページにリンクが貼ってあり、そこから求める壁紙広告５０を入手してもよい。また、壁紙広告５０がただ欲しいだけのネットユーザも、サービス加入し、ユーザＩＤを得て自ら広告サービス会社ホストのサンプルページで欲しい壁紙広告を探し、無料ダウンロードして自由に楽しむことができる。
ここで、壁紙広告５０は、ネットユーザ端末３０の画面全体に表示されるため、大手広告制作会社やプロデザイナーによるデザイン性能に優れた画像や、人気タレントや人気プロスポーツ選手、人気キャラクター等の画像とすることができる。さらには、著名写真家の風景画等の画像とすることもできる。通常、タレントやキャラクター等の画像は、版権等の問題により一般のネットユーザでは無料でダウンロードすることは困難である。そこで、広告サービス会社がネットユーザ端末３０の画面全体に表示される壁紙広告５０を用いてブレゼンすることにより、タレントやキャラクター等の画像の版権を取得することは容易であり、その版権を得たタレントやキャラクター等の画像を、サービスに加入したネットユーザに無料でダウンロードできるサービスの提供が可能となる。また、タレントやキャラクター等の画像に限らず、大手広告制作会社やプロデザイナーによるデザイン性能に優れた画像や、著名写真家の風景画等の画像の無料でのダウンロードも同様にして行える。
【００５１】
また、タレント起用の各種商品、企業広告、イベント情報等のような様々なものを採用することができる。また、壁紙広告５０は、静止画像に限らず、動画であってもよいし、ロゴタイプの文字を配置するようにしてもよいし、これらを組み合わせたものであってよい。さらには、ブラウザで表示可能なありとあらゆる種類の画像フォーマット及びイメージソースを利用できるため、用意された写真、ランドスケープ、ポートレイト、イラスト、キャラクター、商標、シンボルマーク、キャッチフレーズ、コピー、マスコット、商品イメージ、絵画、各種デザインイメージ等を用いてもよい。また、これら全ての実施形態は携帯電話等、移動体通信機器にも応用される。
【００５２】
このように、本実施の形態では、広告サービス会社ホスト１０に、広告掲載の契約が結ばれているサイトオーナーサーバ及び／又は契約プロバイダへ壁紙広告５０を含む広告データを送信し、広告サービスを希望するいずれかのネットユーザ端末３０に対してＷｅｂサイトのトップページ又は各コンテンツページの壁紙広告５０の表示状態を監視する受信者ＩＤ９０が個別に付与されたイオプログラム６０をプラグイン方式で提供し、サイトオーナーサーバ及び／又は契約プロバイダが提供する壁紙広告６０を閲覧したいずれかのネットユーザ端末３０からの広告アクセスログを受け取る機能をもたせ、サイトオーナーサーバ及び／又は契約プロバイダに、Ｗｅｂサイトのトップページ又は各コンテンツページに広告データを、広告サービス会社ホスト１０とは分散して取り込み、広告サービス会社ホスト１０の代わりに保守、管理し、アクセスのあったいずれかのネットユーザ端末３０に対し、イオプログラム６０が予めプリインストールされていない場合のみ、Ｗｅｂサイトのトップページ又は各コンテンツページの壁紙広告５０の表示状態を監視するプリインストール版の受信者ＩＤが付与されたイオプログラム６０をプラグイン方式で提供する機能をもたせ、ネットユーザ端末３０に、Ｗｅｂサイトの閲覧機能と、イオプログラム６０をプラグイン方式でインストールする機能と、予めプリインストールされた形式のイオプログラム６０により、Ｗｅｂサイトのトップページ又は各コンテンツページの壁紙広告５０が正常に表示されたか否かを確認し、正常に表示された場合には広告アクセスログを作成する機能と、広告サービス会社ホスト１０に広告アクセスログのみを送信する機能とをもたせるようにようにしたので、次のような効果が得られる。
【００５３】
（本実施の形態の効果）
まず、図２に示したように、壁紙広告５０のフッタ領域５３に送信者ＩＤを付し、それぞれのサイトオーナーサーバ２０からアクセスのあったネットユーザ端末３０に対して壁紙広告５０が予め取り込まれているトップページ又は各コンテンツページを送信するようにしたので、従来の広告配信の一点集中型とは異なり、分散型による広告配信が可能となる。これにより、サイトオーナーサーバ２０に複数のアクセスが同時に生じても、広告配信の分散効果により、ネットユーザに対してストレスを与えるようなことが無くなる。また、このような壁紙広告５０がネットユーザに対してストレスを与えること無くスムーズに表示されることにより、壁紙広告５０がネットユーザの意思とは無関係に割り込んできた場合でも、ネットユーザに対してストレスを与えるようなことが無くなる。
壁紙広告５０のフッタ領域５３に送信者ＩＤを付し、それぞれのサイトオーナーサーバ２０からアクセスのあったネットユーザ端末３０に対して壁紙広告５０が予め取り込まれているトップページ又は各コンテンツページを送信するようにしたので、大型の広告内容を持った壁紙広告５０の配信が可能となる。
【００５４】
また、ネットユーザ端末３０の画面に壁紙広告５０が正常に表示されたことをイオプログラムによって監視させ、正常に表示された場合には、イオプログラムにより受信者ＩＤを作成するようにしたので、サイトオーナーサーバ２０又は広告サービス会社ホスト１０に受信者の確認処理が不要となり、システム全体の通信処理の高速化が図れる。
また、イオプログラムは、サイトオーナーサーバ２０又は広告サービス会社ホスト１０とは完全に独立してネットユーザ端末３０に存在するため、受信者の識別を完全に行うことができる。
また、たとえば壁紙広告５０のゲットインフォアイコン５６をクリックスルーした場合、イオプログラムにより、壁紙広告５０を送信したサイトオーナーのどの広告をどのネットユーザがクリックしたかという広告アクセスログを作成することができ、広告アクセスログの完全分散遠隔ログ処理が可能となる。
【００５５】
また、イオプログラムにより、送信者ＩＤの確認により、壁紙広告５０が正常に表示されたか否かを監視することができる。また、イオプログラムにより、ネットユーザが上述したＷｅｂサイトのトップページ又は各コンテンツページの読み込みを途中で停止したり、そのトップページ又は各コンテンツページの読み込み途中でページ移動したりした場合でも、壁紙広告５０が正常に表示されないと認識することができる。また、トップページ又は各コンテンツページの壁紙広告５０の画像が壊れている場合も同様に、壁紙広告５０が正常に表示されないと認識することができる。
また、イオプログラムは、サイトオーナーサーバ２０又は広告サービス会社ホスト１０とは完全に独立してネットユーザ端末３０に存在するため、受信者の識別をネットユーザ端末３０側で行うことができることから、システム全体の構築コストの削減が可能となり、低コストでのオンライン広告を実現することができる。また、送信者ＩＤ、ファイルＩＤ、受信者ＩＤを用いることで、個人情報を営業的に有効活用することができる。また、送信者ＩＤ、ファイルＩＤ、受信者ＩＤを用いることで、ファイル流通の把握が容易となる。また、送信者ＩＤ、ファイルＩＤ、受信者ＩＤを用いることで、顧客ターゲティングが可能となる。また、送信者ＩＤ、ファイルＩＤ、受信者ＩＤを用いることで、アクセス上乗せを防止することができる。また、送信者ＩＤ、ファイルＩＤ、受信者ＩＤを用いることで、広告配信サービスと無料壁紙サービスとを共存させることができる。また、壁紙広告５０は、送信者ＩＤ及びファイルＩＤを付加したレイヤー状とすることで、高ビジュアル性やタレント起用が可能となる。また、壁紙広告５０は、送信者ＩＤ及びファイルＩＤを付加したレイヤー状とすることで、インパクトを強めクリックスルーレートを高めることができる。また、壁紙広告５０は、送信者ＩＤ及びファイルＩＤを付加したレイヤー状とすることで、サイトにマッチングすることができる。また、壁紙広告５０は、送信者ＩＤ及びファイルＩＤを付加したレイヤー状とすることで、コレクション価値のある広告となることができる。また、壁紙広告５０は、送信者ＩＤ及びファイルＩＤを付加したレイヤー状とすることで、ネットユーザに対しブームを発生させ興味を高める効果もある。また、壁紙広告５０は、送信者ＩＤ及びファイルＩＤを付加したレイヤー状とすることで、その壁紙広告５０を用いた個人サイトのデザインを向上させることも可能となる。
【００５６】
さらに、本実施の形態による効果について説明する。
１．（広告画像ファイル集中型遅延、サーバダウン問題の解決）
従来のサーバ集中型広告システムでは、広告サービス会社ホストにログファイル、配信プログラム、広告画像データ等や、あらゆるシステム、記憶装置が中央に集積されている構造となっている。したがって、それらがたった一つでもダウン、クラッシュすると、何百万という単位でのサービスの停止及び広告の不表示という大被害に陥っていた。それを防ぐため、広告画像は小さなサイズに制限され、その数や種類、全投下数に至るまで、物理的、システム的な制限を受ける形態を取っている。さらにそれを広告サービス会社ホスト一社の負担のみでシステムのバックアップや保守に多大な経費を払い続けている形態となっている。
しかしながら、本実施の形態によれば、これらの問題を全て解決できる。すなわち、本システムは広告画像ファイル分散型なので、何か一つ停止しても、被害は他に一切波及せず、その他幾百万は広告を表示し続けることができる。そして、新たにオンライン広告業を立ち上げる際も、プロバイダなど既存の第３者が保守管理してくれるインフラをそのまま利用できる。つまり、イニシャル、ランニングコストが少なくて済む営業形態をとることができる。このような広告ファイルのＰ２Ｐ転送形態による、広告画像ファイル分散型システムにより、ダウンやクラッシュに対するリスクを大幅に回避でき、さらにオンライン広告の低コスト営業を実現することができる。したがって、本実施の形態によると、広告画像は物理的、システム的な制限を解かれ、よって遅延なく送信でき、その数と種類をほぼ無限に増やして営業することができる。
【００５７】
２．（大型広告のオンライン広告営業における困難性の解決）
従来のシステムでは、集中型ゆえに広告画像にバリエーションを持ない形態となっている。それは広告画像ファイルを一箇所に置いていたため、システムの物理的制限によって、種類も少なく大きさも３０ＫＢ前後のサイズまでしか置くことができない状態である。ここで従来のシステムにおいて大型広告営業ための簡単な試算を行ってみる。
大型広告の種類が１０００種類あるとする。一枚につき１０００人のサイトオーナーが広告契約を結んでいるとする。１広告画像１００ＫＢ程度としても、全部掛けて１億ＫＢ＝１００ギガバイト。大型広告一枚につき１日たった１００ＰＶ、つまり、たった１００人のネットユーザの閲覧しか無いとしても、１０テラバイト・パー・デイ。すなわち、ホストサーバから１日１０テラバイトもの大型広告を常に配信し続けなければならない。ネットユーザが１００人同時に接続してくるケースにも対応しておかねばならない。これだけの転送量に耐えうる集中型サーバ簡単には用意できない。毎秒おきに同一画像にアクセスを受け、このような大きい画像を同一サーバとディスクから、瞬時に配信しなければならず、しかも広告画像を頻繁に入れ替え、更新、保守、管理しなくてはならない。従来のシステムでは、バナー止まりで大きく多種多様な画像は取り扱えない現状となっている。
しかしながら、本実施の形態によれば、これらの問題を全て解決できる。すなわち、本システムは広告画像ファイル分散型として実施できるので、世界中のプロバイダを無料で使用することができる。故に広告画像ファイルの広告サービス会社ホスト１０からの直接転送がゼロとなり、システムの物理的制限を解くことができる。そして、世界中のプロバイダを使えるので、広告画像ファイルのための記憶装置の空き容量をほぼ無限にすることができる。つまり本システムにより広告画像は物理的、システム的な制限を解かれ、ファイルをホストに集中させる必要が無くなるので、多種で大型なファイルが取り扱うことができる。したがって、本実施の形態によると、大型広告のオンライン広告営業を容易に実現することができる。
【００５８】
３．（アクセスログ取得システム集中型遅延問題の解決）
従来のシステムはアクセスログ取得システムが主に広告サービス会社ホストに配置される構造になっている。この形態におけるデータ転送処理で最も怖いのはランダムアクセスによる、リクエスト集中問題だといえる。たとえば多種類広告を集中型サーバで構築するとなると、１０００種類掛けることの１０００オーナー掛けることの１００ネットユーザで、アクセスログが１日あたり１兆種類作成される。その処理量は膨大となり得て、遅延発生の確率は計り知れず、回避コストも甚大となる。ネットサーバはランダムアクセスに対応するため、処理量の制限を設定している場合がある。そして多人数で同一ルートを使用すると、相互干渉、処理の順序待ちにより速度低下する。誰しも読み込み時、「あれ何故かバナーだけが表示がすごく遅い。」とストレスを感じた経験がある。従来のシステムでは、ホストでログファイルを自ら作るため、ネットユーザの抽出、解析、識別処理を実行してから、自らアクセスログを作成、データベース登録後、やっと広告送信ステップに入っていた。さらに、サイトオーナーサーバがアクセス解析をしてログファイルを作りホストへ送信後、広告送信ステップに入る遅い旧式システムもある。このような従来のシステムは広告配信時、サーバには負荷を、ネットユーザにはストレスを与えやすい設計となっている。
しかしながら、本実施の形態によれば、これらの問題を全て解決できる。すなわち、本システムはアクセスログ取得システム分散型なので、ランダムアクセスによる、リクエスト集中問題を回避できる。そして、データ処理量を減少させ、遅延発生を回避することができる。本システムはイオプログラム６０を分散型方式として、世界中のサーバに何億と散らせて、処理を分散することができる。故に各々が広告サービス会社ホスト１０の処理を何億分割して肩代わりしているので、アクセスログ取得のためのデータ処理量をほぼ無限に減少させることができる。よって、本システムは、アクセスログ取得システム集中型遅延問題を解決できる。したがって、本実施の形態によると、サーバには負荷を、ネットユーザにはストレスを与えないオンライン多種類広告営業を容易に実現することができる。
【００５９】
４．（ネットユーザ識別の困難性の解決）
従来のシステムでは、ユニークユーザ特定、つまりネットユーザの各々匿名化された社会的情報の特定検出に非常にコストがかかり、且つ完全には不可能となっている。すなわち、特定できるのは使用ＯＳ、使用ブラウザのバージョン、ＩＰアドレス、どのページからやってきたか等で、最初のネットユーザと次のネットユーザは恐らくは別々の個人であろう、と言う程度までだった。これでは広告をどんな人に向けて打つか、が決められず、広告効果を発揮できない。また、ある商品に興味を持つネットユーザにその広告を何人に、また何回見せるか、といった計画が立てづらい。これは広告業界で常識である、リーチ＆フリークエンシーを実行できる性能が存在していないことといえる。このような曖昧なデータを利用するに当って、顔の見えない者とビジネスマッチさせねばならない、というジレンマに陥る欠点を持つシステムとなっている。
しかしながら、本実施の形態によれば、これらの問題を全て解決できる。すなわち、本システムは壁紙広告と壁紙広告ソフトウェアの無料ダウンロードと引き替えに、ネットユーザの詳しい情報を取得できる。それら情報に壁紙広告の識別情報を加え、それぞれにファイルＩＤ、送信者ＩＤ、受信者ＩＤを付与する。これら予め識別済みのＩＤ群をイオプログラム６０が監視して、アクセスログを作り、広告サービス会社ホスト１０に送信する。これにより、従来より遙かに詳しい情報を加味した、ユニークユーザ完全識別を行うことができる。そしてネットユーザは、各ＩＤとイオプログラム６０により、ネット上で人格を持つ、仮想の個人として代理された状態となる。このようなイオプログラム６０は、ウェブ代理人プログラムとも言える働きをする。その結果、各ネットユーザは匿名性を確保できつつ、広告会社は顔の見えるネットユーザに向かって広告を正確に投下できる。したがって、本実施の形態によると、ネットユーザ識別が容易となり、よってリーチ＆フリークエンシーを実行でき、効率のよい広告展開を図ることができる。
【００６０】
５．（広告表示前に多段ステップが実行されている問題の解決）
従来のシステムでは、広告送信と同時にホストサーバ自身がアクセスログを同一時間軸で自ら作成する手順となっている。つまり、２つ以上の作業ステップを重複してホストで同時に処理している。ホストへネットユーザから広告へのアクセスがあると、まずホストはネットユーザの抽出、解析、識別処理を実行する。次に、広告画像とサイトオーナーとの照合を行う。次に、確認された情報からログファイルを作成し、データベースに格納する。その処理が正常に完了したことを以て、広告送信となる。すなわち、広告表示以前に多段処理ステップが存在している。そしてそれはネットユーザにはストレスを、ホストには集中負荷をかけていた。ホストサーバ集中型として、広告画像とログシステムをサービスホストに置く限り、対価のやり取りを担うログ取りは、必ず広告送信の前に処理完了を確認した後、行わなければならなかった。これは設計上、遅延しやすいシステムとなっている。
しかしながら、本実施の形態によれば、これらの問題を全て解決できる。すなわち、本システムはイオプログラムにより、分散型サーバ構成と、遠隔型方式の、ログ作成送信システムを構築できる。そしてイオプログラム６０に振られた受信者ＩＤは、予め識別済みであり、サービスホストに登録済みである。広告画像もサイトオーナー側から送信でき、ホストの送信処理をカットできる。よってホストサーバは、広告送信をステップ無しで行うことができる。無論、広告はサイトオーナーサーバのログ処理も必要とせず、全く割り込み処理の無い状態で送信できる。つまり広告送信を事前の処理ステップ無しででき、ホスト、オーナー側ともに集中リクエストが無く、全く負荷がかからない配信ができる。結果、広告の送信スピードはホームページ自体のデータと全く同一スピードにでき、高速な広告システムを実現できる。このように、広告送信をたった１ステップで行うことができ、イオプログラム６０によりログ処理を全て広告表示以後に実行できる。すなわち表示遅延を皆無とでき、ネットユーザがページを読んでいる間に、いつの間にかログ送信は完了する。したがって、本実施の形態によると、事前ステップを全てネットユーザ側の事後処理とでき、ストレスの無い、限りなく早く軽量な広告システムを実現できる。
【００６１】
６．（単一ソフトウェアにおける一括配信、ログ処理の問題の解決）
従来のシステムでは、ホストサーバでの管理、配信、集計業務を主にＤＡＲＴといった様なたった一つのプログラムにて行っている。これにより配信業務の管理、制御系がホストにメインとして存在する集中型のサーバ構成となっている。そして、同一プログラムで全ての広告画像を無休で制御し続けている。よって、広告の種類、サイズ、配信数に自ずと限度が存在してしまっている。故にネット広告の市場は拡大しづらいシステムになっている。しかも、このような単一の巨大プログラム一つで制御しているので、長大で複雑なプログラムの一部に一つでも不具合が生じると、システムダウンによる業務停止に陥りやすいシステムといえる。メンテナンスやバージョンアップ時も、危険がつきまとうシステムとなっている。
しかしながら、本実施の形態によれば、これらの問題を全て解決できる。すなわち、本システムはイオプログラム６０が、ホストサーバから完全に分散、独立、自律した状態でネットユーザ側に存在できる。そしてホストから処理を分離、分割して肩代わりし、広告管理業務をリアルタイム且つ効率的に実行できる。これら分散型形態によって、広告サービス会社ホスト１０は、巨大プログラムの高コストシステムから脱却することができる。よって集計業務やそれを基にした、広告企画販売業務等に集中できる。そしてイオプログラム６０は何億個でも製造でき、世界中に散らし増やしていけるので、広告の契約数や配信数も増やすことができる。さらにイオプログラム６０は各々が独立して存在しているので、大規模なシステムダウンによる業務停止を防止することができる。また、イオプログラム６０は各々が軽量で簡潔な作りになっているので、不具合が生じにくく、メンテナンスやバージョンアップも簡単に実行できる。したがって、本実施の形態によると、広告の契約数を増やし儲けを増やすことができ、且つその営業をより安全、効率的に実行することができる。
【００６２】
７．（広告不表示問題の解決）
従来のシステムは、サーバ集中型ゆえにアクセスログ取得後、広告配信を行う手順となっている。これは、アクセスがあったのだから、広告はきちんと閲覧されたはずだ、という無根拠な思いこみに依存する、曖昧なシステムとして成立させられていた。これでは、ネットユーザにおける読み込み停止や読み込み途中でのページ移動、また集中処理による広告画像の壊れ等の場合に対応できていない。どのケースにも、広告が表示されていないにもかかわらず、広告料を支払わねばならなかった。このような壁紙の広告画像の壊れ、送信エラーを外部から監視できる機能が無いため、広告を提供する側の信頼性が低下してしまっていた。よって広告主、広告会社は無駄な経費を支払わされ、従来のシステム等のネット広告は表示チェック機能が無いので、クライアントから信頼されにくく進歩、普及が頭打ちになりやすい現状となっている。
しかしながら、本実施の形態によれば、これらの問題を全て解決できる。すなわち、本システムは広告画像自体のヘッダ及びフッタにファイルＩＤ、送信者ＩＤを記述する構造となっている。そして特に広告画像の終端部分の、フッタ領域にある送信者ＩＤをイオプログラム６０が確認し、広告表示完了を正確にチェックすることができる。故に送信エラーを外部から監視でき、それに完全に対応することができる。したがって、広告サービス会社ホスト１０は、このログを受け取りそれを１ＰＶとして、報酬発生の成立条件を正確に定めることができる。この正確な情報により立脚される取引によって、広告主、広告会社は共に無駄な広告費をおさえることができる。よって本システムは、ネットユーザに確実に広告が届いたことを確認でき、広告不表示問題を解決できる。したがって、本実施の形態によると、取引の信頼性を高めることができ、経費をおさえ、なおかつ営業、契約を促進させることができる。
【００６３】
８．（集中型サーバにおける高コストシステムの解決）
従来のシステムは、オンライン広告営業を集中型サーバとして構築している。これはシステム、データ、プログラム、及びその保守、管理、バックアップ、ミラーリング等を全て一広告会社が担う形態となっている。さらにそれに伴う人件費、保険費用、保証責任まで全て広告サービス会社ホスト一箇所に集中する構図となっている。サービスを拡大するためには莫大な投資が必要になる。この物理的、システム的な要因により、従来のシステムは高コストであり、それにも関わらず、市場規模が拡大しづらい構造となっている。低コストシステムが存在していないので市場は新規こと業者が参入しにくいばかりか、撤退が相次ぐ現状となっている。このような集中型のビジネスモデルでは資源、人、経費などの負担を一社に強いる、高コストの問題が起こりやすく、サービス拡大を阻む構造になっている。
しかしながら、本実施の形態によれば、これらの問題を全て解決できる。すなわち、本システムはオンライン広告営業を分散型サーバとして構築できる。これはシステム、データ、プログラム、及びその保守、管理、バックアップ、ミラーリング等をサイトオーナーサーバやオーナーが契約しているプロバイダ等に、無料で委託できる。さらにそれに伴う人件費、保険費用、保証責任までもサイトオーナーとプロバイダ側の関係として委託できる。さらに何億個と稼働しうる広告画像自体もサービス利用者が自己責任として管理、設定、配信、保守、広告差し替えまで担当してくれるので、人件費を著しく節減できる。よって本システムにより、ほぼ無償のアウトソーシング形態が実施でき、またサービス拡大のための投資を少なくでき、新規こと業を容易に拡大できる。また、本システムはユーザサイドが微少な自己資本で実践できるシステムなので、一社ではほぼ賄いきれなかった、世界中への広告配信が実行できる。したがって、本実施の形態によると、低コストのオンライン広告事業が安定経営でき、利益率が高く、新規事業拡大も容易な営業が実行できる。
【００６４】
９．（顧客ターゲティングの困難性の解決）
従来のシステムでは、ユニークユーザ識別が技術的に完全にできない構造になっている。さらに何処の地域に住んでいる、何歳くらいの、どんな仕事をし、どんな趣味嗜好を持つ、男性なのか女性なのか、という様な広告主、広告会社にとって必需といえる情報を手に入れる技術が存在していない。故に買わせたい商品と、売りたい相手をマッチングさせる、事業レベルの顧客ターゲティングを実現することができなかった。また、広告主と広告会社とがネットユーザの個人情報の営業的活用を図ることも困難で、さらに広告画像がどういった経路でどんな人々に届き、それぞれどんなリアクションを取ったかを追う、流通把握機能が無かった。このような従来のシステムでは、情報取得技術が無いので、顔の見えない相手とビジネスマッチさせねばならないジレンマが存在している構造となっている。
しかしながら、本実施の形態によれば、これらの問題を全て解決できる。すなわち、本システムは広告、ユーザの詳しい情報をファイルＩＤ、送信者ＩＤ、受信者ＩＤで管理し瞬時に取得できる。つまり各ＩＤは単なる画像識別子に留まらず詳細人格データを有する代理された個人そのものだといえる。よって広告会社はこれらＩＤから各付帯情報を引き出し分析加工し、各広告主企業に提供し、広告営業販売をより戦略的に行うことができる。そして広告主はその情報を元に、買わせたい商品と、売りたい相手をマッチングさせる、事業レベルの顧客ターゲティングを実現できる。さらに本システムはあるファイルＩＤを持つ広告Ａが、ある送信者ＩＤを持つサイトオーナーＢにより、ある受信者ＩＤを持つネットユーザＣへと送信された、と正確無比に情報を得ることができる。故にこの流通把握機能をも合わせて活用できる。このような本システムにより、広告主は売りたい顧客を選んで、あたかも対面しているかの如く、正確無比に広告を投下することができる。したがって、本実施の形態によると、高指向性広告及び顧客ターゲティングが実行でき、よって広告会社と広告主との契約を促進でき、効果的で広告効果の高い広告配信ができる。
【００６５】
１０．（アクセス上乗せ問題の解決）
従来のシステムでは、ユニークユーザ識別が完全にできないので、個人サイトオーナー等による、アクセスを不正な手段で上乗せし、報酬を不正に増額して入手する、という様な問題が起こりやすいことになっている。ネットユーザの同一性が確保できる技術が無いので、不正に使用端末やＯＳやブラウザ、プロキシーサーバの悪用によるＩＰアドレス等の変更によって次々と別人になりすまし易いシステムになっていた。そしてオーナー自身が何度も自サイトにアクセスし、不正にＰＶを増やし報酬を得る、といったことが起こりやすいシステムになっている。このような従来のシステムでは、金銭報酬の発生条件に関係する技術が著しく不十分なので、広告主、広告会社に損害を与えやすい構造になっている。
しかしながら、本実施の形態によれば、これらの問題を全て解決できる。すなわち、本システムは送信者ＩＤ、受信者ＩＤにより、明確にユニークユーザ完全識別を実行できる。つまり広告サービス会社ホスト１０で正確にネットユーザの同一性が確保できる。報酬規定により、オーナーも必ずイオプログラム６０をインストールせねばならない。そしてイオプログラム６０はその性質ゆえ、１人一個に限られる。だからどんなに端末の環境を変更しても、受信者ＩＤにより識別できる。よってホストにて送信者ＩＤ、受信者ＩＤが同一なログを弾くことができる。また、送信者ＩＤの後に同じ受信者ＩＤが異常にダブっている、といったログ等も破棄できる。これで本システムにより、アクセス上乗せ問題を解決できる。したがって、本実施の形態によると、金銭報酬の発生条件を明確にでき、広告主、広告会社に損害を与えない、安全なオンライン広告営業ができる。
【００６６】
１１．（無料壁紙サービスの提供に関する問題の解決）
ネット上の壁紙状況は現在、壁紙ドットコムや壁紙ネット、壁紙ファンを中心に多数、配布サイトが存在している。それらサイトは１日２万ＰＶを越え多くのネットユーザが訪れている。しかしそれらサイトはタレント等の版権壁紙を取り扱うも、難題を多く抱えている。それはまず膨大なネットからタレント壁紙を探すことが難しいという状況がある。各サイトはネットユーザから発見報告を募っているが、ネットユーザは普通見つけると用は済んでしまうので、報告してくれない場合があった。タレント事務所側も所詮無料サービスなので、タイアップでも無いと積極的に参入できない現状がある。故に有料版権壁紙を提供せざるを得ない現状がある。結果版権壁紙の絶対数がサイトを見ても少なすぎる状態である。したがって欲しい者はポスター等から作るか、その肖像権無断使用アップサイトに行って入手する、といったことが起こっている。それはタレント事務所等を悩ませる結果となっている。またタレント壁紙の多くはそれら膨大な素人サイトの粗悪な作りのものの方が多いのが憂う現状となっている。そして、頼みの綱の公式に配布されたタレント広告付き壁紙等は数も種類もとても少ない。しかも広告付き壁紙は期間が限定されるので、殆どがリンク切れか、画像が壊れている状態になっている。現在のネット広告は本格的に広告会社が参入できる壁紙広告サービスが存在しておらず、広告主は自社による無料広告付き壁紙サービスに頼っているからである。未だ事業化されてないので費用対効果等検討もできない現状である。キャラクターや商品の広告付き壁紙もその総数に対して非常に少ない。その一方で素人サイトの有名タレント等の壁紙は無断コピーが相次ぎ、トラブルを起こすほど人気が過熱している。このような、膨大な需要があるのにシステムが未だ存在せず、サービス事業者もいないので、ネットユーザのニーズに現状が全く追いついていない状態にある。また、サイトオーナーに限定して版権壁紙を提供し、金銭報酬を発生させるオンライン壁紙広告配信サービスは現在営業されていない。そしてこのサービスと逆に版権をフリーにして、広くネットユーザ向けに版権壁紙を配布する、無料壁紙サービスは、技術的、性格的に相容れない困難性があり、両立、共存は難しい。このような版権者と広告主、広告会社、そしてネットユーザとの需要を繋ぐ技術が存在してないのでビジネスとして成立せず、版権壁紙が安定供給されて無い現状となっている。
しかしながら、本実施の形態によれば、これらの問題を全て解決できる。すなわち、本システムは壁紙広告をＩＤ付きレイヤー状のファイル形式で提供できる。そこに広告主、広告会社が大資本をかけ、工夫を凝らせるポテンシャルが生まれ、魅力的で付加価値の高い広告が制作できる。そしてネット利用ゆえ、費用対効果を上げることができる。そのため、ネットユーザも無料で壁紙広告ソフトウェアの提供を受け、サンプル版壁紙広告の安定供給を受けることができる。さらに本システムはファイルＩＤと送信者ＩＤの２つで、バリュー契約用の壁紙広告を管理できる。したがって壁紙広告のフッタ領域の、送信者ＩＤのあるなしでバリュー契約とフリー契約を分けることができる。よって送信者ＩＤのある壁紙広告の使用を壁紙広告ソフトウェアを用いて、そのコピーやアップに関して制限をかけることができる。つまり本システムは、金銭報酬を発生させるオンライン壁紙広告配信サービスと、広くネットユーザ向けに版権壁紙を配布する、無料壁紙サービスとを同時に両立、共存させることができる。したがって、本実施の形態によると、壁紙に関する様々な問題点を解消でき、ネットユーザに無料壁紙の安定供給ができ、それ故高い人気を獲得して宣伝もできつつ、同時に市場規模を拡げられた広告配信をも実現できる。
【００６７】
１２．（広告画像の低デザイン性の問題の解決）
従来の広告システムは、広告サービス会社ホストから集中型で配信される構造になっているため、転送量による制限を受け、小さく種類も少ないものに限られる形態となっている。それ故にバナー広告やポップアップ広告等は、１７インチないし１５インチのさらにブラウザ枠で囲まれた中の横長の小さな矩形状のスペースに掲載されるため、デザインを凝らすことが困難である。表現力を獲得する技術が存在しないので、タレントが起用できない、プロスポーツ選手、キャラクター等版権が使用されない。したがって大手広告制作会社が参入しない等の欠陥が存在している。つまり従来のシステムは、訴求力が乏しく、ＴＶＣＭに代表されるような「イメージ広告」が打てない現状となっている。さらにバナー広告やポップアップ広告等は、表示されると必ず、モニタースペースの一部を覆い隠し、本文をシェアするという欠点が存在している。ページを間借りして割り込むネガティブな広告はイメージダウンを招きやすく、かといって、大きくすれば本文を隠し、ポップアップすれば、ユーザストレスとなる。このような従来のシステム上では、ビジュアルを豊かにできる十分な構造、技術を持たないので、タレント起用などが実行しにくい、という現状となっている。
しかしながら、本実施の形態によれば、これらの問題を全て解決できる。すなわち、本システムはオンライン広告営業を分散型サーバとして構築でき、記憶容量を確保でき、転送量の制限を無くすことができる。さらに本システムは壁紙広告をＩＤ付きレイヤー状のファイル形式で提供でき、そこにクリエイターや大手資本が参加できる。これらにより、オンライン広告を大きく、美しく、高い表現力、ビジュアル性を誇り、訴求力溢れる広告へと変えることができる。よって、本システムにより初めて本格的に「タレント起用」ができ、初めてネット上で「イメージ広告」を打つことができる。また、壁紙広告ソフトウェアを使い、サイトに馴染ませて表示できるので、ネットユーザにストレスを与えない広告表示ができる。したがって、本実施の形態によると、「タレント起用」ができるので普及が促進でき、それら大手資本参加による市場規模の拡大ができ、産業的価値の高いオンライン広告を営業できる。
【００６８】
１３．（低クリックスルー問題の解決）
従来のシステムでは、広告サービス会社ホストから集中型で配信される構造になっているため、転送量による制限を受け、小さく種類も少ないものに限られる形態となっているため、広告画像そのものが魅力的で無い、という弱点を持っている。よって、ネットユーザに対しての視覚的アピールに乏しく、表示されても殆ど印象に残らない状態となっている。故にネットユーザのリアクションが薄く、どんなに成功したと言われる広告でも、そのクリック率は１％以下となっている。これは、ネット広告で最も重要なことの一つ、広告主サイトへのユーザトラフィック機能が十分に備わっていないことを示している。広告そのものが魅力的でないので、ＣＦのようにそこからブームが発生することもなく、チラシやポスターの様にコレクションに至ることも無い現状となっている。このような従来のシステムには、付加価値の高い広告を実装できうる技術が存在していないので、クリック率が低く、儲かりにくい構造を持つ現状となっている。
しかしながら、本実施の形態によれば、これらの問題を全て解決できる。すなわち、本システムはオンライン広告営業を分散型サーバとして構築でき、記憶容量を確保でき、転送量の制限を無くすことができる。さらに本システムは壁紙広告をＩＤ付きレイヤー状のファイル形式で提供でき、クリエイターや大手資本が参加できる。これらにより、オンライン広告を大きく、美しく、高い表現力、ビジュアル性を誇り、訴求力溢れる広告へと変えることができる。よって、本システムにより「タレント起用」ができ、初めてネット上で「イメージ広告」を打つことができる。また、壁紙広告ソフトウェアを使い、サイトに馴染ませて表示できるので、ネットユーザにストレスを与えない広告表示ができる。これらにより、広告画像そのものの付加価値を、極めて高いものに変えることができる。よって、視覚的アピールに長け、印象に残り、ネットユーザのリアクションを喚起することができる。したがって本システムにより、クリック率を著しく向上させることができ、広告主サイトへのユーザトラフィックを増加させることができる。また、広告そのものが魅力的であり、コレクションが可能なシステムであるので、ブーム発生など高い宣伝効果が期待できる。したがって、本実施の形態によると、付加価値の高い広告を実装できうる技術が存在することにより、クリック率が高く、広告主、広告会社、ユーザが共に儲かりやすい広告実施ができる。
【００６９】
１４．（広告バーンアウト（広告効果逓減）問題の解決）
従来のシステムでは、広告サービス会社ホストから集中型で配信される構造になっているため、転送量による制限を受け、小さく種類も少ないものに限られる形態となっており、広告画像そのものが魅力的で無い、という弱点を持っている。よって、ネットユーザに対しての視覚的アピールに乏しく、表示されても殆ど印象に残らない状態となっている。故にネットユーザのリアクションが薄く、どんなに成功したと言われる広告でも、そのクリック率は１％以下となっている。それ故、従来のバナー広告などでは、２度同じ広告を見ると広告効果が半減するバーンアウト（広告効果逓減）現象が起こることとなっている。しかしながら、広告主、広告会社は、バーンアウトし、広告効果無し、となった広告にさえも広告料を支払わねばならないシステムとなっていた。さらに物理制限によって元々種類が少なくバーンアウトの頻度は異常に高いものとなっている。このような従来のシステムは、広告効果が無いにも関わらず、広告料を支払わねばならない、という大問題が日常的で、広告主、広告会社に損害を与えやすい構造になっている。
しかしながら、本実施の形態によれば、これらの問題を全て解決できる。すなわち、本システムはオンライン広告営業を分散型サーバとして構築でき、記憶容量を確保でき、転送量の制限を無くすことができる。さらに本システムは壁紙広告をＩＤ付きレイヤー状のファイル形式で提供でき、クリエイターや大手資本が参加できる。これらにより、オンライン広告を大きく、美しく、高い表現力、ビジュアル性を誇り、訴求力溢れる広告へと変えることができる。よって、本システムにより「タレント起用」ができ、初めてネット上で「イメージ広告」を打つことができる。また、壁紙広告ソフトウェアを使い、サイトに馴染ませて表示できるので、ネットユーザにストレスを与えない広告表示ができる。また、さらに本システムは壁紙広告をＩＤ付きレイヤー状のファイル形式で提供でき、そのときに各サイトオーナーが自由にカスタマイズできる。それで、広告画像は多彩なバリエーションとして表示できる。故に、本システムは、広告バーンアウト（広告効果逓減）を防止できる。したがって、本実施の形態によると、広告バーンアウトを防ぎ、広告料を無駄に支払うこと無く、広告主、広告会社に損害を与えない広告営業ができる。
【００７０】
１５．（低デザインサイトの問題の解決）
従来の個人サイトオーナーの運営する、個人サイトでは主にネット上などで入手した、フリー素材からなる壁紙を背景として利用するのが現状となっている。そこに版権壁紙を使用することは個人としては、ほぼ不可能な状態となっている。また従来のフリー素材壁紙は所詮無料であり、大手資本が参加していないので粗末なものが殆どとなっている。タレント等の壁紙をサイトに貼る行為は、全てのネットユーザが絶大なる需要を持っているにも関わらず、禁止されている。故に個人サイトのデザイン、コンテンツの向上はこの時点で止まってしまっている。このような版権者と広告主、広告会社、そしてネットユーザとの需要を繋ぐ技術が存在していないのでビジネスとして成立せず、個人サイトの発展、進歩が図れない現状となっている。
しかしながら、本実施の形態によれば、これらの問題を全て解決できる。すなわち、本システムはオンライン広告営業を分散型サーバとして構築でき、記憶容量を確保でき、転送量の制限を無くすことができる。さらに本システムは壁紙広告をＩＤ付きレイヤー状のファイル形式で提供でき、クリエイターや大手資本が参加できる。これらにより、オンライン広告を大きく、美しく、高い表現力、ビジュアル性を誇り、訴求力溢れる広告へと変えることができる。よって、本システムにより「タレント起用」ができ、初めてネット上で「イメージ広告」を打つことができる。また、壁紙広告ソフトウェアを使い、サイトに馴染ませて表示できるので、ネットユーザにストレスを与えない広告表示ができる。故に、まめにタレント等が貼っているサイトは、人気を呼びアクセス数を増やすことができる。また、本システムにより、個人サイトオーナーは新たな収入源を得ることができる。したがって、本実施の形態によると、個人ネットユーザが版権壁紙を使用することができ、楽しんでサイト運営を継続でき、サイトデザインをも向上させることができる。
【００７１】
１６．（ネット広告とオンライン広告の違い）
従来、これらは同じものとして混同されているが、漸く差別化される様になってきている。厳密にはネット広告とは、ただ単にネットを利用しただけの広告物だと言える。その目的と効果は主に宣伝、認知のみである。例えるなら、看板、アドバルーン等である。ネット広告を定義すれば、広告主とサイトオーナー一対一の関係を、新型の広告物により仲介し提携を図って、認知を目的とする、となる。一方、オンライン広告は、広告会社が企画、主導して大資本で大規模ネットワーク広告システムを開発し、広告主、サイトオーナーに向け営業する、という特徴を持つ。その目的は主に販促、収益向上である。例えるならＴＶＣＭである。オンライン広告を定義すれば、広告会社と広告主企業、サイトオーナーとネットユーザ多数対多数の関係を大規模ネットワーク広告システムで同時に一括して結び付け、共に販促、収益向上を目指すメガビークル、となる。オンライン広告の見分け方の一つは、ネットユーザを広告主サイトへ、リアルタイムに多数送り込むトラフィック効果を持つことである。その機能が存在し成果を上げているか、が決め手の一つとなる。従来、オンライン広告といえるのは現行バナー広告システム・クリック保証型一種類しか存在していない。しかしそのシステムも、小さなバナーしか扱えず、長年に渡って効果を疑問視する声も多く聞かれている。そして画期的な発展も無いので、市場規模も頭打ちになり、撤退が相次ぐ現状となっている。
しかしながら、本実施の形態によれば、これらの問題を全て解決できる。すなわち、本システムは広告会社が企画、主導して大資本で大規模ネットワーク広告システムを開発し、広告主、サイトオーナーに向け営業することができる。それにより、販促、収益向上を図ることができる。そして、ＴＶＣＭ制作と同一資本形態で実施できる。故に広告会社と広告主企業、サイトオーナーとネットユーザ多数対多数の関係を大規模ネットワーク広告システムで同時に一括して結び付け、共に販促、収益向上を目指すメガビークルを構築できる。さらに本システムはネットユーザを広告主サイトへ、リアルタイムに多数送り込む、極めて高いトラフィック効果を持つことができる。したがって、本実施の形態によると、次世代オンライン広告として、広告業界が進歩、発展でき、全世界に市場拡大し、関わる全ての個人、企業に多大な利益を生み出す広告営業ができる。
【００７２】
次に、本実施の形態での効果の補足を説明する。
本システムにおける壁紙広告５０は、その名の通り、壁紙を広告に変えてしまおうということである。ウエブブラウジング中にページの背景として使われている無意味な画像ファイルを張り替え、広告として新たに誕生させ利用しようという新規なアイデアである。今まで白か黒等の単色又は殆ど無意味な模様でしか無かったサイトの壁紙がプロデザインの広告に張り替えられとたんに、ありとあらゆる価値を秘めたイメージやメッセージを発信することが可能となる。その工夫に満ち、且つ刺激的なビジュアルにより、全てのネットユーザはバナー広告では味わうことのできなかったインターネット広告で驚き感動するという体験を得る。
【００７３】
具体的には、次の通りである。
▲１▼ハイパービジュアル
上述した壁紙広告５０は、バナー広告等とは比較にならないビジュアル機能を持ち、ウェブブラウザで表示可能なありとあらゆる種類の画像フォーマット及びイメージソースを利用でき、用意された写真、ランドスケープ、ポートレイト、イラスト、キャラクター、ロゴ、商標、シンボルマーク、キャッチフレーズ、コピー、マスコット、商品、イメージ、絵画、他デザインイメージ等を、なんであろうとほぼ無限に、ソースとすることができる。そして、明確な企画コンセプトをもとに広告イメージとして加工し、広告機能を有するウェブの壁紙として表示させることができる。ネットサーファーは、情報収集作業中に必然的にそのサイトに出会う。いつもと違うが、サイトのテーマにそった美しくグラフィカルにときにアーティスティックに、サイト全体から雄弁なインパクト、メッセージ、心地よさ等を覚える。ネットユーザは驚きを持ってモニターを凝視する。メッセージを的確に受け取ったところで「はっ」と気づく。「これはあのメーカーのあの広告だったのか。」等と。壁紙広告５０は、このようなバナー広告では絶対不可能ともいえた視覚によるアピール性に非常に優れている。あの小さなバナーでは感じられなかった、驚き、インパクト、面白さ、楽しさ、心地よさ、感動、物語性、笑い、イマジネーション等あらゆる概念を自由且つ強力に発信できる。したがって壁紙広告５０はバナー広告ではあり得なかった、広告が本来持つポテンシャルを最大限引き出し、消費者の記憶に残り、目指すべき商品等の認知、販促に大いなる広告効果を発揮することになる。まさに壁紙広告５０は現在におけるインターネット広告の大本命だといえる。
【００７４】
▲２▼ハイパーバリエーション
壁紙広告５０はデザイン性が極めて高く、そのバリエーションと可能性は無限大である。壁紙広告５０ということは必然的に肝心の広告部分が、ページのタイトルや、テキスト、リンクボタンや各種アイテムやオブジェクトに隠れて見えなくなるのではないかという心配をされる方もいると思う。しかしそれは瞬時に問題として極小化する。簡単にいうと、シンプルでスマートなデザインにすればよい。壁紙広告５０はソフトウェアにより、Ｗｅｂサイトのイメージに合わせて簡単にカスタイマイズできる、豊富なレイアウト機能を有し、そのソフトウェアにより、広告制作者は、たとえば画面中央にあった人物のイメージを脇にずらし、文字やオブジェクトとのバランスをとり、開いている所に商品のロゴを配置するということなどができる。無論、最初からテキストやオブジェクトの配置スペースを予め用意した広告イメージを使うことも可能である。それでもページの情報量が多く、見えないときにはそのページにはシンプル且つインパクトのあるロゴ、商標、シンボルマーク、キャラクター、マスコット、キャッチフレーズ、コピー、単純なグラフィック等を利用した広告が向いているといえる。それらはさらにソフトウェアにより明度、彩度、カラー変更、モノトーン、２分割、４分割・・・６４分割等にカスタマイズできる。ぜひとも画面いっぱいに人物を表示したいときは色調を変更し、文字がよく見えるように薄く白っぽい色合いにしたり、セピア色やモノクロ、薄い単一色等にすることは容易である。それでもまだデータが邪魔だというときは、インテント＆フォーカス機能を使うとよい。どんなページにも必ずわずかだが空きスペースがあるが、そこに小さくピンポイントにロゴ、グラフィックなどのイメージを配し、残り全部を青や黒等の濃い単一色にし、先のポイントをくり抜いたり、そこに対して集中効果のあるラインを入れたり、そのようなデザインを入れたりすればよい。ソフトウェアにより数種のデザインパターンを使用すればよいが、むしろこちらの方が斬新でエキセントリックな広告効果を狙ったりする。バナー広告は同じバナーに２度遭遇すると不快になるという欠陥がある。これらの機能はそれを防ぎ、バーンアウト（効果低減）を防止する作用も兼ね備えている。それでもまだ満足できない場合は、究極の手段「エンター広告」をおすすめする。これはサイトのトップページよりも手前に、もう一つページを用意する。そのページに○○．ｃｏｍ等とリンク変更し、真のトップページとする。そのページに大きく表情豊かなタレント等のイメージ広告を表示し、中央等にごく小さく「ｅｎｔｅｒ」とメインページへのリンクを張ればよい。これで減色重なり一切無しの、フルカラーでハイクオリティーの壁紙広告５０が完成する。しかも必ず広告に目がとまり、突然現れた高品質のイメージを驚きを持って見ることになるのでＰＲ効果も大いに期待できる。既にバナースペースが２倍になると広告効果は１．６倍になる（広告主協会、デジタルメディア委員会）という研究結果も出されている。
このような壁紙広告５０は豊富な機能により様々なクリエーターのイマジネーションを実現し、あらゆる広告ニーズに適応する。壁紙広告５０はハイパーインプレッション広告である。
【００７５】
▲３▼ハイパークリエイション
壁紙広告５０はイメージ広告という広告形態で、まさに広告足り得る最大限のポテンシャルを発揮する。貧弱なバナー広告では全く不可能で且つ無意味であった、商品のあらゆるイメージ戦略が可能となる。その中でも特筆すべきものが「タレントの起用が可能である！！」ということである。バナー広告では考えることすらできなかったが、国民的に人気のあるアイドルやタレント、そして国際的なプロスポーツ選手、はては海外の超人気アーティストまでが商品サービス等とともにモニター上に存在感溢れる姿で登場する。その広告効果は周知の通り、絶大である。インターネット広告はテレビ、新聞、雑誌等と共に、シュアな広告ビークルとして成長し、その地位を固め、それら各種広告企業のノウハウや資産、タレントデータベースや無尽蔵の広告テクノロジーがそっくりそのまま活用される。
さらに、世界中の数え切れないほどのキャラクター、有名なＣＭクリエーター達の広告スキル、著名なアーティストや芸術家達の表現力、そして各広告関連企業の個性溢れる人材、そのテクニック等、物質的人的資産が最大限活用される。これらにより、壁紙広告５０はバナー広告では全く無理であった、インパクトのある面白い広告を見るだけで、その商品サービスや、企業名を覚えてくれる、という現象を起こしうる。故に知名度を上昇させたりすることも容易で、さらにそこからタレントや商品などがムーブメントを起こし、ブレイクするといったＴＶＣＭと同様の爆発的効果も期待できる。その年で最もヒットを飛ばしたウェブ広告として、広告大賞等が開催され、人々の記憶に残る優れた広告も出現するだろう。このような壁紙広告５０はその高いデザイン性により新たなクリエイティヴ、ストラテジーを喚起し、広告戦略、広告業界全てを席巻していく。
【００７６】
▲４▼ハイパーイマジネーション
ここでは様々な広告シーンにおける、その可能性の一例を挙げる。
・「タレント広告」
壁紙広告５０の代表的な広告手法。その価値は他の媒体で証明済みである。シンプルな構成のページに向く。当然タレントのＰＲにもなる。当然ファンページにも貼られるだろう。映画、ドラマ等の宣伝や、アーティストならアルバムジャケットをそのまま張ることもできる。ハリウッドスターの映画広告等は効果的である。タレントはイメージキャラクターとして威力を発揮する。。
・「キャラクター広告」
宣伝対象のイメージに合わせ、選ばれ、又は作り出されたキャラクターを使用する広告。世界中のキャラクター以外にもマスコットキャラ等の使用もよい。キャラは概して単純なデザインなので張るページの情報量は少し増やせる。マンガ、ゲーム、アニメ等、ほぼ無限のキャラクターが起用できる。
・「スポーツスター広告」
躍動感溢れるプレーヤーはページデザインに力強い動きを与えてくれる。スポーツニュースサイトや、ネットショップで大活躍する。減色、色彩変換しても、動的イメージは残るので、デザイン性能が高く、ページアイテムも苦にならない。国際的なスターが大広告主と契約し、世界中に展開できる広告。
・「商品広告」
宣伝対象の商品を大きく拡大して、又はいくつかに分割して画面にスマートに配置する。商品名やキャッチコピー等をバランスよく傍らに配置するとよい。オンラインショッピングのページなどに効果的である。新商品をリアルタイムに発信伝達できる。本、雑誌、ゲーム、ＣＤソフトウェア等パッケージをそのままレイアウトするのもよい。美しいデザインを持つ商品は、そのままでも魅力的である。
・「ロゴタイプ広告」
商品ロゴ、サービスロゴ、企業マーク、キャッチフレーズ、コピー、ＵＲＬ等を、大きくまた分割してクールに並べる。ブランドイメージをアップさせたりとか、合併した新社名を早く覚えて欲しいとき等に有効。カラーバリエーションを豊富にすると楽しい。グラフィックデザイナーの本領が発揮されることになる。
・「テキスト広告」
凝ったフォント等を利用し、活字メッセージをダイナミックに張り付ける。読みやすく、伝わりやすいようにそして斬新なカラーやレイアウトを工夫するとよい。ネット電話など、一箇所で動かす情報作業の無いページにも向いている。コピーライターの本領が発揮されることになる。
・「メールマガジン広告」
メルマガは未だ広告さえもテキストオンリーだが総発行部数が多く、急増を続けており、特にウィークリーまぐまぐは１回に２千万部以上発行されそこの背景に壁紙広告５０を発信できれば効果は抜群である。パステルカラーで便箋のような雰囲気に仕上げるのがよいだろう。
・「ＢＢＳ・チャット広告」
上記全てのいずれかの広告をＢＢＳやチャットの背景に配置する。テキストの色や大きさに気を配り、見やすく調整するとよい。討論会議や商品レビュー等そのテーマにあった広告を張り、シナジー効果を狙う。
・「エンター広告」
企業等の有名なトップＵＲＬページに、エントランスページを設け、そこに強力にプッシュしたい今一番のトレンドアイテム広告を掲示する。幾万にものぼるアクセスカウンタ数と同じくらいの、インプレッション（露出度）を誇ることになるので、有名タレントなどを起用して強力にＰＲ可能したい。フルカラーでいかなるアイデアやデザインも実現できるので各広告主企業や大手広告会社、広告クリエーター等はここぞとばかりコストをかけることになる。
・「ポータル広告」
本システムの応用先で最もドラマチックな広告手法の一つ。ネットで絶大な知名度とページビュー（表示回数）を誇るポータルサイトに広告を発信する。ちなみに、ある検索エンジンは一日あたり一億ページビューをゆうに超える。したがってそれらに広告配信することで、関わる企業主全てに計り知れないメリットをもたらす。しかし壁紙広告５０の本領はそこにとどまらない。全世界のインターネット企業、つまりドットコム企業に壁紙広告５０は願っても無い福音をもたらす。無料プロバイダ、無料ネット電話、ネット銀行、各サーチエンジン、フリーウエアサイト、全てのオンラインショップ、各ＡＳＰ（アプリケーションサービスプロバイダ）、各ウェブマガジン、ネット新聞、各ポータルサイトの貴重な収入源となり、維持管理、運営コストを下げ、利益を上げることに貢献する。特にインターネットにおける存在意義の高い各無料サイトに高いパフォーマンスを示す。無論、広告展開先は工夫次第で限りなく存在する。壁紙広告５０はこうして世界を埋め尽くすことになる。
【００７７】
▲５▼ハイパーソリューション
壁紙広告５０を用いたシステムはダイナミックに挙動できる。そのアクティビティはバナー広告を凌駕できる。そのモニター領域全体を使う大きなスペースには無数の価値を生み出す可能性がある。また、壁紙広告５０は読み込みスピードもバナー広告に比べて有利といえる。現在のバナー広告は複数か、たとえ一つとしてもその中のデータが層構造になっていて、何枚か読み込みんでいる。しかも複数単数問わず、それらは普通同時に読み込みまれていく。小さな窓だとしてもずらりと並んで複数がその中身まで層になっているものを同時に読み込みむと、表示は通常よりも非常に遅くなる。たとえばブロードバンドが行き届いても複数のバナー広告は情報収集上、邪魔で不愉快なものでしか無い。しかし壁紙広告５０は壁紙なのでどんなものでも一枚として読み込みまれる。高速線なら一瞬だ。バナー広告と違って鑑賞する楽しみも加わる。またインターネット広告なので当然コストも安くできる。そしてグラフィック主体なので新聞、雑誌、ポスター等、マルチメディア複合展開も容易で、同じ制作スケジュールの中で壁紙広告５０用のグラフィックも同時にスムーズに制作できる。さらにイメージ広告としての機能を用い、ビジュアルとして発信すると、言葉の壁も軽々と飛び越えて全世界同時展開もたやすく実現する。他のメディアはコスト的に難しいが壁紙広告５０はインターネットを利用するウェブ広告なのでそのシステムは既にグローバルに展開されている。また、壁紙広告５０の制作に関しては、ＴＶＣＦ、新聞広告雑誌広告とほぼ同じ系列で行える。広告掲載者（サイトオーナー）は広告主企業とインターネットを介して提携し、規定の壁紙広告５０を掲載することで報酬を得る。広告主企業は自ら壁紙広告５０を制作配信することもできる。通常は広告会社主導で企画制作し、配信、提携業務を進める。広告会社は複数の壁紙広告５０をサービスホストに集積し、各サイトオーナーとの提携を仲介する。各サイトオーナーはそれらの壁紙広告５０を自サイトに張り、広告報酬を得る。そこにはインターネット広告を専門に扱う業者（メディアレップ）等も参入するだろう。
また、壁紙広告５０には、そのセットの中に上述した壁紙広告ロゴアイコン５５、ゲットインフォアイコン５６が存在する。それら２つは通常邪魔にならないように四角に配置するが、どこでも自由に配置できる。それらにはリンク機能があって壁紙広告ロゴアイコン５５をクリックすると壁紙広告５０のサイトにジャンプする。次に、ゲットインフォアイコン５６をクリックした場合は広告に紹介されている広告物をより詳しく紹介するメーカー、つまり広告主サイトの当該アイテムの掲載ページにジャンプする。さらに壁紙広告サービスホストは広告主と広告会社が制作した規定の広告を集め、サイトオーナーと提携させる窓口及び仲介業務を行う。サイトオーナーはそこで各個人データやメールアドレス、そしてアンケートと必要であれば広告掲載サイトの情報と口座番号等をフォーム入力して希望する壁紙広告５０の広告データセットを受け取ることになる。
【００７８】
このような壁紙広告５０は、その多彩な広告機能の中にバナー広告が有するクリックスルー機能を搭載していることになる。そして、クリックスルーして飛んだその広告物のページの中に同じ壁紙広告５０の契約ページへのリンクが張ってあるとする。こうすると、その壁紙広告５０を見て気に入った別のサイトオーナーがそのリンクをたどり、その場で壁紙広告５０を契約することが可能となる。バナー広告には無いそれ自体高い価値を持つ壁紙広告５０ゆえのリアクションといえる。広告掲載者側もデザイン性で圧倒的優位性を持つ本システムにより、バナー広告より遙かに高いクリック率の恩恵を受けるだろう。すなわち、全ての壁紙広告５０はリンクにより、その契約窓口を内蔵していることになる。これにより、広告に興味を持ったネットユーザがその場で新規契約をすることができる。このような壁紙広告５０は強力なインプレッション効果とクリックスルーさせるトラフィック効果、そしてクリックスルーアンドコントラクトというトリプル機能を持つ非常に優秀な広告媒体となる。そして注目すべきなのがこれら素晴らしい魅力を持つ壁紙広告サービスはインターネットに繋ぐ全世界全ての一般ユーザが無料で利用できるということだ。インターネット広告を利用できるのは今まで有名ポータルサイトオーナーに限られたことであった。しかし壁紙広告５０はそれ自体がまさに美しく印刷されたポスターや広告シート等と同じ価値を持っている。だからユーザはその価値ゆえにぜひ入手してサイトに張りたいと強く願うはずである。すなわちそれを欲する全てのネットユーザに配布するだけでも高い広告効果が得られるのである。入手して自サイトに張っても殆ど楽しみを感じることが無かったバナー広告には起こり得ないことである。全てのネットユーザは今までしたくてもできなかった、超人気タレントやアイドル、大人気アーティストやスポーツプレーヤーのプロデザインの壁紙を堂々と自分のサイトに飾ることができる。その中には気に入ったタレントをコレクションしていったり、ＢＢＳなどで話題になり情報交換したりするものも現れるに違いない。またそれを逆手にとって広告供給サイドはアイドルグループのメンバー全員のフォト広告を各１０枚作り、それをナンバー入りで千枚限定で配布すると行った企画等も自由自在に行ってもよい。
【００７９】
壁紙広告５０は企画性も高く、クリエーターのアイデア次第で、無限大の可能性を持つことができる。つまりインターネット広告で初めてブームが発生することになるのである。当然、壁紙広告５０は壁紙なので普通のデスクトップ壁紙としても使え、広告ゆえに選べる種類は常に増加してゆくので楽しい。それ故、壁紙広告５０には広告に対する報酬を受け取ることができるバリュー契約と、報酬を必要としないフリー契約がある。
いずれにしても、ネットユーザは自分の好みの高画質な壁紙を手に入れ、それらを自身のサイトのテーマ、イメージに合う様、無料の壁紙広告ソフトウェアを用いることができる。これはサイトデザインという点においても、高い満足感を得ることができるのでいある。しかもこれはバナー広告は同じものを２度見かけると、バーンアウト（広告効果減少）するという欠点があったが、それも既に解決されている状態である。したがって報酬が無くても付加価値の高さゆえ、必ずしも掲載者に報酬を支払ってまで広告掲載を願い出る必要は無いのである。しかも壁紙広告５０はビジュアル効果が高いので、ネットユーザは契約を促進され、広告として高いリーチ（到達人数）とフリークエンシー（到達頻度）が期待される。さらにそのビジュアルは強力にクリックスルーレート（クリック率）を引き上げ、広告主サイトにトラフィック（誘導）させることに威力を発揮する。そのサイトページに広告商品のネット販売システムを用意すれば、購入というアクションを喚起させる、レスポンス効果において、バナー広告を凌駕する可能性がある。また、壁紙広告５０は、バナー広告とも共存できる。重くなることも乱雑で見づらくなったりすることも無い。そうして、ＣＭストリーミング再生のように、ＰＣ環境や、回線を要求し、ネットユーザを不必要に差別することも無い。これからはサイトオーナーは壁紙広告５０とバナー広告とでダブルで収入を得ながらサイト運営を楽しむこともできる。そして壁紙広告５０はウエブデザイナーに大きな表現手段を与える。今までのウェブはどこか個性的でなく、機能美というべきメカニカルなデザインで似通ったものが多かった。しかし壁紙広告５０により、デザインにビジュアルインパクトという手法を与えられ、巧みに組み合わせて用いれば、ウエブデザイナーの活躍の場も広がってゆくことになる。こうして壁紙広告５０は関わるもの全てにメリットを与える。こうして壁紙広告５０はその類い希なるクリエイティビティー、全てのニーズをフォローする、ソリューション機能により、瞬く間に世界に浸透していくことになる。
【００８０】
▲６▼ハイパーエクステンション
壁紙広告５０は、既存の広告全てを超越する進化が可能である。次にその拡張形態の一部を紹介する。ウェブポスター形態で壁紙広告５０は、持る最大のビジュアル性能を発現する。ウェブポスターは、「エンター広告」の形態をさらに上回る広告形態で、その名の通り、ウェブ上に広告ポスターを出現させようという内容である。ネット世界をあたかも現実世界に見立て、その主要ポータルや著名サイトを現実世界の駅やランドマークと想定し、人通り（ネット上ではトラフィック）の多いところを狙ってポスターを張っていくという意図である。その大きさは自由自在であり、等身大のタレントの顔写真等も使用できる。これにより、壁紙広告５０は真にウェブ最大の広告と呼べるシステムとなる。駅張りの広告や、町中のビルの看板、又は新聞雑誌等の折り込み２面カラー広告を見てはっと驚き感心したことは無いだろうか。鋭いアイデアとインパクトとセンスに満ちたそれらの広告とほぼ同等の効果をネット広告が手に入れることができる。素晴らしい広告が数多く誕生することが期待できる。しかしそのようにエンターページを大きくすると、比率がおかしくなると思うかもしれない。しかしそれらの心配は無いだろう。まず、ＰＣモニターは少しづつ大きくなってきている。少し前まで１５インチが主流であったが最近では１７インチが普通である。さらに、２１インチ、２５インチと軽く薄く低コストになって、ますます普及してゆく。ブラウザ、ポインタデバイス等についても進歩があり、これからも広いモニターを早く直感的に使用できるよう進化する。ネットも高速化が進み、そしてウエブデザインも変わるのである。ポスター化によってこれだけページが自己主張しているのだから、現在のようにページタイトルを大きく張り付けたり、飾り文字を大きく並べたりする必要は無くなる。ポスターをスクロールし終わって、右下隅等、しかるべき所に小さく美しいフォントでリンクを張るだけもでよい。タイトルとサイト紹介は左上隅等が見えやすいだろう。勿論全てはネットユーザの自由だが、たとえば表紙は大きく美しく読んで見たくなる装丁で中身は情報がぎっしりつまっている雑誌のような感じにもできる。無論、ポスターはポータルオーナーだけで無く一般サイトオーナーも使用できる。壁紙広告５０は、このようなインターネット広告の常識を塗り替えて、ウエブデザインの意識すら変えていくことになる。
【００８１】
また、壁紙広告５０は、見やすくするためシンプルにするとか淡い色に統一するなどするとよいだろう。さらにこの広告は各プロバイダ及び、無料プロバイダ、そして無料ネット電話会社等に最適なソリューションを実行できる。ネットユーザは既に各サービス会社に個人情報を提供している。そこを窓口としてさらにそこから本システムのサービスに追加加入してもらうのである。そうすると各サービス会社はその会員に本システムを利用してもらい、広告を閲覧してもらって、広告会社からその広告料を得ることができる。会員のネットユーザは報酬として収入を得て、実質通信料金の値引きを受けたり、無料サイトならより質の高い無料通信が維持され、それを享受するといったメリットを受ける。本システムはネットユーザの個人情報を集積しているポータルを、そのまま広告ビークルと化す能力を有している。サービス利用時にサービス利用時に入手される個人データを、たとえば市外局番、年齢、性別、職業、趣味、嗜好、どんなジャンルの広告に興味があるか等、個人名は伏せた匿名情報を広告会社に提供して、本システムを利用するかをフォーム入力時に聞いておく。各ポータルはこうしてネットユーザを確保し、そのネットユーザの構成や分析データを広告会社に提供し、広告会社はそのユーザ集合を広告ビークルとみなし、彼らに最適な広告セットを斡旋する形となる。そうすると、提供データや開設している個人サイトの内容等により、メール等で広告張り付けを勧めることができる。今までのバナー広告はユニークユーザ（個人と特定し識別されたユーザの数）を抽出するのに解析作業があり、確立されていない技術や方法を頼りに多大な労力やコストをかけて割り出していた。にもかかわらずあくまで先ほどと違う人が来たと分かる程度でそれらは推定値の域を出なかった。本システムなら、その必要は全く無く、しかもユーザの所在、年齢、性別、職業、趣味、嗜好、どんな広告を欲しているかまで、瞬時にデータベース化された状態で掌握できる。
【００８２】
さらにリーチやフリークエンシー設定も自由自在で車に興味のあるネットユーザに車の広告を１０回リーチさせるといったことも容易にでき、テレビＣＭも遙かに超えるほどのほぼパーフェクトな広告のターゲティングが可能になる。そして本システムを発展させるとどのメディアも未だ行えないリクエスト広告が誕生させることができる。サービスを受ける入力フォームをもっと細かく設定してゆき、映画だけの広告を貼りたいとか、各イベント別広告掲載コース等を設け、好きなＣＭタレントが起用されている広告だけ貼りたいといった具合である。従来の広告会社サイドから見えないユーザのターゲッティングを追求し続けてきた広告手法を覆すウルトラＣ広告といえる。本システムより集積される完全に識別済みの真のユニークユーザはインターネットシステム全体をも、革新させるキーとなり得る。今まではインターネットはテレビ等と同じでどんな人が今どんなものを見ているかということが分からなかった。しかし本システムで得られた真のユニークユーザ識別のサービスは、各企業主全てに対して、データのやり取りができる。そうすると、たとえば、自社のネットに対する顧客数は大体何人でその年齢や詳しいプロフィールは等、また商品Ａに対する、ネットを介した購買見込み客は何人で等、顧客のリサーチが自動的に行えるようになる。本システムはリアルタイムの調査装置となり、企業のマーケティングに大いなる進歩をもたらすことができる。
【００８３】
「壁紙広告ニュース」
本システムがオンライン広告として認知されユーザが増加してくると、次に実行するプロジェクトは全ユーザに対するペーパーニュースの発行である。ペーパーニュースは全ネットユーザユーザに対して必ず発行される。それは定期的に発行され、全てのサービスを解約しない限り全ネットユーザに自動的に届く。つまりそれは報酬を得ずに壁紙のダウンロード張り付けやコレクションを楽しむだけのフリー契約ユーザにも届けられる。ニュースはネットユーザのメルアドに全ブラウザで読める形式のＰＤＦ形式等で配達され、中には壁紙広告に関する最新広告情報が満載されている。広告ニュースは広告会社から提供された注目の最新壁紙広告をグラフィカルにイメージと記事で紹介し、その壁紙広告の契約を促す。そこには勿論各壁紙広告契約ページにリンクが張られ、ネットユーザが気に入ったら即、契約できるようになっている。記事はたとえば何月から今人気絶頂のこのタレントのテレビＣＭが放送されるが、壁紙広告もＣＭと同じ衣装とシチュエーションで同時に制作された。壁紙広告版の方は先行して解禁となるので早速ゲットしよう等とＴＶＣＭを先取りして壁紙広告を出稿したりすると面白くできる。そして最も重要なことはその壁紙広告ニュースページ内にも壁紙広告やバナー広告などのニュースのスポンサーとなる企業のネット広告が張られていると言うことだ。そしてそれら広告は紹介される壁紙広告と合わせてニュースを読む全ユーザに確実にリーチするのでそのインプレッション効果は高く、壁紙広告サービスホストはそれらに対する広告料を収入として得る。それは例えるならＴＶＣＭ等、広告そのものをコンテンツとして掲載し、広告収入を得る広告雑誌である。
【００８４】
インターネットの未来はユビキタスの時代が訪れ、あらゆる端末がネットに接続され、瞬く間にブロードバンド化されている。人々はその溢れる情報の流れの中で何を頼りに自らの判断を下せばよいのか。また、ＩＴ革命は、個人のみならず、零細から、巨大企業でさえも、激しく淘汰を強いる。サービス開始が一ヶ月遅れると、シェアの９割が奪われ、１００円、１円刻みのディスカウント合戦に破れたショップには潮が引くように客がいなくなり、いずれも熾烈な一人勝ち構造が形成されている。一日でも早くデファクトスタンダードを掲げることが必須となる。ネットユーザに適切且つ分かりやすい看板や標識を与え、判断の足がかりとし、ニーズを持って、ネットユーザに一秒でも無駄なコストを払うこと無く素早い問題解決を提供しなければならない。ネット世界にも広く一般に受け入れられ、楽しみながら情報を共有し、行動の礎となる、公正な広告基盤が必要である。本システムは、ネット広告界に新たな地平を切り開ける。その結果、サイトデザインはアドスペースとツールスペースに役割分担されていくだろう。ネットユーザはサイトのアドスペースで広告意図を明確に受け取り、次にメインコンテンツである、ツールスペースに入り能動的に情報収集を図る。さらにクリックスルーして広告主企業とコミュニケーションし、やがてマーケットスペースに向かう。壁紙広告はアドスペースにおいて、そのポテンシャルを存分に発揮し、ウエブデザイナーが機能的にデザインした、ツールスペースのメインコンテンツにユーザを誘導する。壁紙広告はモバイル端末にも応用できる。それは壁紙広告５０により、日本はネット広告のイニシアチブを握れる。インターネット通じて、本システムが世界中に広がり、楽しみを生みながら利用されることとなる。
【００８５】
【発明の効果】
以上の如く本発明に係るＷｅｂページ広告システムによれば、広告がネットユーザ側に完全に伝わっているかどうかの確認を確実に行うことができ、併せて広告配信を分散型とすることで、ネットユーザによるストレスの問題や、広告のデザイン性及びアピール度の問題を解消することができ、さらにネットユーザ識別と顧客ターゲティングを可能にし、ネット上で本格的に大規模なオンラインタレント広告を実施できるようにすることで収益性を高めることができる。
【図面の簡単な説明】
【図１】本発明のＷｅｂページ広告システムの一実施の形態を示す図である。
【図２】図１の画像データの構造を説明するための図である。
【図３】図１のネットユーザ端末に表示されるＷｅｂサイトのトップページ又は各コンテンツページの壁紙広告の一例を示す図である。
【図４】図１のネットユーザ端末に表示されるＷｅｂサイトのトップページ又は各コンテンツページの壁紙広告の他の例を示す図である。
【図５】図１のＷｅｂページ広告システムによるＷｅｂページ広告方法を説明するためのフローチャートである。
【図６】図１のＷｅｂページ広告システムによるＷｅｂページ広告方法を説明するためのフローチャートである。
【図７】従来のＷｅｂページ広告システムの一例を説明するための図である。
【符号の説明】
１０  広告サービス会社ホスト
１１  ログ管理データベース
２０  サイトオーナーサーバ
２１  ファイル管理データベース
３０  ネットユーザ端末
４０  インターネット
５０  壁紙広告
５１  ファイル領域
５２  ヘッダ領域
５３  フッタ領域
５４  タレントの画像
５５  壁紙広告ロゴアイコン
５６  ゲットインフォアイコン
５７  商品画像
５８  サイトオーナーのコンテンツ
５９  壁紙広告の内容物
６０  イオプログラム
７０  ファイルＩＤ
８０  送信者ＩＤ
９０  受信者ＩＤ
【図１】
2004310384.tif 000003
【図２】
2004310384.tif 000004
【図３】
2004310384.tif 000005
【図４】
2004310384.tif 000006
【図５】
2004310384.tif 000007
【図６】
2004310384.tif 000008
【図７】
2004310384.tif 000009